(57)【要約】【課題】デュアルコネクティビティにおいてセカンダリノード（ＳＮ）からマスタノード（ＭＮ）へのデータ量の報告を可能にすること。【解決手段】本発明の通信装置は、少なくともＮＲ（Ｎｅｗ  Ｒａｄｉｏ）を用いるデュアルコネクティビティのセカンダリノードとして端末装置のために動作する第１の基地局と上記端末装置との間で伝達されるデータの量を示すデータ量情報を取得する情報取得部と、上記端末装置のために上記デュアルコネクティビティのマスタノードとして動作する第２の基地局へ上記データ量情報を送信する通信処理部と、を備える。上記データの上記量は、ＰＤＣＰ（Ｐａｃｋｅｔ  Ｄａｔａ  Ｃｏｎｖｅｒｇｅｎｃｅ  Ｐｒｏｔｏｃｏｌ）レイヤで、又は、ＰＤＣＰレイヤとＲＬＣ（Ｒａｄｉｏ  Ｌｉｎｋ  Ｃｏｎｔｒｏｌ）レイヤとの間でカウントされるデータ量である。【選択図】図１４
2019159662.tif 000002
【特許請求の範囲】
【請求項１】
少なくともＮＲ（Ｎｅｗ  Ｒａｄｉｏ）を用いるデュアルコネクティビティのセカンダリノードとして端末装置のために動作する第１の基地局と前記端末装置との間で伝達されるデータの量を示すデータ量情報を取得する情報取得部と、
前記端末装置のために前記デュアルコネクティビティのマスタノードとして動作する第２の基地局へ前記データ量情報を送信する通信処理部と、
を備え、
前記データの前記量は、ＰＤＣＰ（Ｐａｃｋｅｔ  Ｄａｔａ  Ｃｏｎｖｅｒｇｅｎｃｅ  Ｐｒｏｔｏｃｏｌ）レイヤで、又は、ＰＤＣＰレイヤとＲＬＣ（Ｒａｄｉｏ  Ｌｉｎｋ  Ｃｏｎｔｒｏｌ）レイヤとの間でカウントされるデータ量である、
通信装置。
【請求項２】
前記データは、前記セカンダリノードで終端する無線ベアラを通じて前記第１の基地局と前記端末装置との間で伝達される第１のデータである、請求項１に記載の通信装置。
【請求項３】
前記データは、前記デュアルコネクティビティのマスタノードで終端する無線ベアラを通じて前記第１の基地局と前記端末装置との間で伝達される第２のデータを含まない、請求項２に記載の通信装置。
【請求項４】
前記第１のデータの前記量は、前記セカンダリノードによりカウントされるデータ量であり、
前記第２のデータの前記量は、前記マスタノードによりカウントされるデータ量である、
請求項３に記載の通信装置。
【請求項５】
前記データは、前記セカンダリノードで終端する無線ベアラを通じて前記第１の基地局と前記端末装置との間で伝達される第１のデータと、前記デュアルコネクティビティのマスタノードで終端する無線ベアラを通じて前記第１の基地局と前記端末装置との間で伝達される第２のデータとを含み、
前記データ量情報は、前記第１のデータの量を示す第１のデータ量情報と、前記第２のデータの量を示す第２のデータ量情報とを含む、
請求項１に記載の通信装置。
【請求項６】
前記第２のデータの前記量は、ＰＤＣＰレイヤとＲＬＣレイヤとの間でカウントされるデータ量である、請求項５に記載の通信装置。
【請求項７】
前記第１の基地局は、ＰＤＣＰレイヤの処理を実行する中央ユニットと、ＲＬＣレイヤの処理を実行する分散ユニットとを含み、
前記第２のデータは、前記中央ユニットを経由して、前記マスタノードとして動作する第２の基地局と前記分散ユニットの間で伝達され、
前記第２のデータの前記量は、前記中央ユニットにおいてカウントされるデータ量である、
請求項５又は６に記載の通信装置。
【請求項８】
前記セカンダリノードで終端する前記無線ベアラは、ＳＮ  Ｔｅｒｍｉｎａｔｅｄ  ｂｅａｒｅｒであり、
前記第１のデータは、前記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
請求項２〜７のいずれか１項に記載の通信装置。
【請求項９】
前記マスタノードで終端する前記無線ベアラは、ＭＮ  Ｔｅｒｍｉｎａｔｅｄ  ｂｅａｒｅｒであり、
前記第２のデータは、前記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、請求項３〜７のいずれか１項に記載の通信装置。
【請求項１０】
前記データの前記量をカウントするカウント部をさらに備える、請求項１〜９のいずれか１項に記載の通信装置。
【請求項１１】
前記データは、前記第１の基地局から前記端末装置へ送信されるダウンリンクデータと、前記端末装置から前記第１の基地局へ送信されるアップリンクデータとを含み、
前記カウント部は、前記端末装置への前記ダウンリンクデータの受渡の状況に基づいて、前記ダウンリンクデータの量をカウントする、
請求項１０に記載の通信装置。
【請求項１２】
前記受渡の前記状況は、ＰＤＣＰレイヤよりも下位のレイヤにおいて確認される受渡状況である、請求項１１に記載の通信装置。
【請求項１３】
前記第１の基地局は、ＰＤＣＰレイヤの処理を実行する中央ユニットと、ＲＬＣレイヤの処理を実行する分散ユニットとを含み、
前記受渡の前記状況は、前記分散ユニットから前記中央ユニットへ送信される情報である、
請求項１１又は１２に記載の通信装置。
【請求項１４】
前記受渡の前記状況は、ＤＬ  ＤＡＴＡ  ＤＥＬＩＶＥＲＹ  ＳＴＡＴＵＳフレームで示される、請求項１１〜１３のいずれか１項に記載の通信装置。
【請求項１５】
前記データ量情報は、Ｕｓａｇｅ  ｃｏｕｎｔ  ＵＬ及びＵｓａｇｅ  ｃｏｕｎｔ  ＤＬである、請求項１〜１４のいずれか１項に記載の通信装置。
【請求項１６】
前記通信処理部は、前記データ量情報を含むＳｅｃｏｎｄａｒｙ  ＲＡＴ  Ｄａｔａ  Ｕｓａｇｅ  Ｒｅｐｏｒｔメッセージを前記第２の基地局へ送信する、請求項１〜１５のいずれか１項に記載の通信装置。
【請求項１７】
前記通信装置は、前記第１の基地局である、請求項１〜１６のいずれか１項に記載の通信装置。
【請求項１８】
前記第１の基地局は、前記ＰＤＣＰレイヤの処理を実行する中央ユニットと、分散ユニットとを含み、
前記通信装置は、前記中央ユニットである、
請求項１〜１６のいずれか１項に記載の通信装置。
【請求項１９】
前記デュアルコネクティビティは、ＮＲ及びＬＴＥ（Long  Term  Evolution）を用いるデュアルコネクティビティである、請求項１〜１８のいずれか１項に記載の通信装置。
【請求項２０】
前記デュアルコネクティビティは、ＥＮ−ＤＣ（Ｅ−ＵＴＲＡ−ＮＲ  Ｄｕａｌ  Ｃｏｎｎｅｃｔｉｖｉｔｙ）であり、
前記第１の基地局は、ｅｎ−ｇＮＢである、
請求項１９に記載の通信装置。
【請求項２１】
少なくともＮＲを用いるデュアルコネクティビティのセカンダリノードとして端末装置のために動作する第１の基地局と前記端末装置との間で伝達されるデータの量を示すデータ量情報を、当該第１の基地局から受信する通信処理部、
を備え、
前記データの前記量は、ＰＤＣＰレイヤで、又は、ＰＤＣＰレイヤとＲＬＣレイヤとの間でカウントされるデータ量である、
通信装置。
【請求項２２】
前記データは、前記セカンダリノードで終端する無線ベアラを通じて前記第１の基地局と前記端末装置との間で伝達される第１のデータであり、
前記通信装置は、
前記デュアルコネクティビティのマスタノードで終端する無線ベアラを通じて前記第１の基地局と前記端末装置との間で伝達される第２のデータの量をカウントするカウント部、
をさらに備える、請求項２１に記載の通信装置。
【請求項２３】
端末装置であって、
少なくともＮＲを用いるデュアルコネクティビティのセカンダリノードとして前記端末装置のために動作する第１の基地局と通信する第１通信処理部と、
前記端末装置のために前記デュアルコネクティビティのマスタノードとして動作する第２の基地局と通信する第２通信処理部と、
を備え、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
端末装置。
【請求項２４】
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
を含み、
前記データの前記量は、ＰＤＣＰレイヤで、又は、ＰＤＣＰレイヤとＲＬＣレイヤとの間でカウントされるデータ量である、
方法。
【請求項２５】
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
をプロセッサに実行させるプログラムであり、
前記データの前記量は、ＰＤＣＰレイヤで、又は、ＰＤＣＰレイヤとＲＬＣレイヤとの間でカウントされるデータ量である、
プログラム。
【請求項２６】
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
をプロセッサに実行させるプログラムを記録したコンピュータに読み取り可能な非一時的記録媒体であり、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【請求項２７】
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
を含み、
前記データの前記量は、ＰＤＣＰレイヤで、又は、ＰＤＣＰレイヤとＲＬＣレイヤとの間でカウントされるデータ量である、
方法。
【請求項２８】
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
をプロセッサに実行させるプログラムであり、
前記データの前記量は、ＰＤＣＰレイヤで、又は、ＰＤＣＰレイヤとＲＬＣレイヤとの間でカウントされるデータ量である、
プログラム。
【請求項２９】
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
をプロセッサに実行させるプログラムを記録したコンピュータに読み取り可能な非一時的記録媒体であり、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【請求項３０】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
を含み、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
方法。
【請求項３１】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムであり、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
プログラム。
【請求項３２】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムを記録したコンピュータに読み取り可能な非一時的記録媒体であり、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【発明の詳細な説明】
【技術分野】
【０００１】
本発明は、通信装置、端末装置、方法、プログラム及び記録媒体に関する。
【背景技術】
【０００２】
３ＧＰＰ（Ｔｈｉｒｄ−Ｇｅｎｅｒａｔｉｏｎ  Ｐａｒｔｎｅｒｓｈｉｐ  Ｐｒｏｊｅｃｔ）のＲｅｌｅａｓｅ１５では、ＥＮ−ＤＣ（Ｅ−ＵＴＲＡ−ＮＲ  Ｄｕａｌ  Ｃｏｎｎｅｃｔｉｖｉｔｙ）が規定されている（非特許文献１参照）。ＥＮ−ＤＣでは、ＵＥ（Ｕｓｅｒ  Ｅｑｕｉｐｍｅｎｔ）は、マスタノード（ＭＮ）として動作する１つのｅＮＢ（ｅｖｏｌｖｅｄ  Ｎｏｄｅ  Ｂ）と、セカンダリノード（ＳＮ）として動作するｅｎ−ｇＮＢとに接続される。【０００３】
さらに、ＥＮ−ＤＣの一機能として、Ｓｅｃｏｎｄａｒｙ  ＲＡＴ  Ｄａｔａ  Ｕｓａｇｅ  Ｒｅｐｏｒｔ機能が規定されている（非特許文献２参照）。ｅｎ−ｇＮＢは、セカンダリＲＡＴ（Ｒａｄｉｏ  Ａｃｃｅｓｓ  Ｔｅｃｈｎｏｌｏｇｙ）であるＮＲ（Ｎｅｗ  Ｒａｄｉｏ）を用いてｅｎ−ｇＮＢとＵＥとの間で伝達されたユーザデータの量をカウント（測定）し、Ｘ２ＡＰ：Ｓｅｃｏｎｄａｒｙ  ＲＡＴ  Ｄａｔａ  Ｕｓａｇｅ  Ｒｅｐｏｒｔメッセージでこのデータ量（ｄａｔａ  ｖｏｌｕｍｅ）をＭｅＮＢ（ＭＮであるｅＮＢ）に報告する。
【先行技術文献】
【非特許文献】
【０００４】
【非特許文献１】３ＧＰＰ  ＴＳ  ３７．３４０  Ｖ１５．０．０  （２０１７−１２）  “３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  ＮＲ；Ｍｕｌｔｉ−ｃｏｎｎｅｃｔｉｖｉｔｙ；Ｓｔａｇｅ  ２  （Ｒｅｌｅａｓｅ  １５）”
【非特許文献２】３ＧＰＰ  ＴＳ  ３６．４２３  Ｖ１５．０．０  （２０１７−１２）  “３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｘ２  ａｐｐｌｉｃａｔｉｏｎ  ｐｒｏｔｏｃｏｌ  （Ｘ２ＡＰ）（Ｒｅｌｅａｓｅ  １５）”
【発明の概要】
【発明が解決しようとする課題】
【０００５】
しかし、Ｓｅｃｏｎｄａｒｙ  ＲＡＴ  Ｄａｔａ  Ｕｓａｇｅ  Ｒｅｐｏｒｔ機能の実現手法が規定されていない。より具体的には、ＳＮであるｅｎ−ｇＮＢがデータ量をカウント（測定）する手法は規定されていない。【０００６】
本発明の目的は、デュアルコネクティビティにおいてセカンダリノード（ＳＮ）からマスタノード（ＭＮ）へのデータ量の報告を可能にする仕組みを提供することにある。
【課題を解決するための手段】
【０００７】
本発明の一形態に係る第１の通信装置は、少なくともＮＲ（Ｎｅｗ  Ｒａｄｉｏ）を用いるデュアルコネクティビティのセカンダリノードとして端末装置のために動作する第１の基地局と上記端末装置との間で伝達されるデータの量を示すデータ量情報を取得する情報取得部と、上記端末装置のために上記デュアルコネクティビティのマスタノードとして動作する第２の基地局へ上記データ量情報を送信する通信処理部と、を備え、上記データの上記量は、ＰＤＣＰ（Ｐａｃｋｅｔ  Ｄａｔａ  Ｃｏｎｖｅｒｇｅｎｃｅ  Ｐｒｏｔｏｃｏｌ）レイヤで、又は、ＰＤＣＰレイヤとＲＬＣ（Ｒａｄｉｏ  Ｌｉｎｋ  Ｃｏｎｔｒｏｌ）レイヤとの間でカウントされるデータ量である。【０００８】
本発明の一形態に係る第２の通信装置は、少なくともＮＲを用いるデュアルコネクティビティのセカンダリノードとして端末装置のために動作する第１の基地局と上記端末装置との間で伝達されるデータの量を示すデータ量情報を、当該第１の基地局から受信する通信処理部、を備え、上記データの上記量は、ＰＤＣＰレイヤで、又は、ＰＤＣＰレイヤとＲＬＣレイヤとの間でカウントされるデータ量である。【０００９】
本発明の一形態に係る端末装置は、少なくともＮＲを用いるデュアルコネクティビティのセカンダリノードとして上記端末装置のために動作する第１の基地局と通信する第１通信処理部と、上記端末装置のために上記デュアルコネクティビティのマスタノードとして動作する第２の基地局と通信する第２通信処理部と、を備え、上記第１の基地局は、上記第１の基地局と上記端末装置との間で伝達されるデータの量を示すデータ量情報を上記第２の基地局へ送信し、上記データの上記量は、ＰＤＣＰレイヤで、又は、ＰＤＣＰレイヤとＲＬＣレイヤとの間でカウントされるデータ量である。【００１０】
本発明の一形態に係る第１の方法は、少なくともＮＲを用いるデュアルコネクティビティのセカンダリノードとして端末装置のために動作する第１の基地局と上記端末装置との間で伝達されるデータの量を示すデータ量情報を取得することと、上記端末装置のために上記デュアルコネクティビティのマスタノードとして動作する第２の基地局へ上記データ量情報を送信することと、を含み、上記データの上記量は、ＰＤＣＰレイヤで、又は、ＰＤＣＰレイヤとＲＬＣレイヤとの間でカウントされるデータ量である。【００１１】
本発明の一形態に係る第２の方法は、少なくともＮＲを用いるデュアルコネクティビティのセカンダリノードとして端末装置のために動作する第１の基地局と上記端末装置との間で伝達されるデータの量を示すデータ量情報を、当該第１の基地局から受信すること、を含み、上記データの上記量は、ＰＤＣＰレイヤで、又は、ＰＤＣＰレイヤとＲＬＣレイヤとの間でカウントされるデータ量である。【００１２】
本発明の一形態に係る第３の方法は、少なくともＮＲを用いるデュアルコネクティビティのセカンダリノードとして端末装置のために動作する第１の基地局と通信することと、上記端末装置のために上記デュアルコネクティビティのマスタノードとして動作する第２の基地局と通信することと、を含み、上記第１の基地局は、上記第１の基地局と上記端末装置との間で伝達されるデータの量を示すデータ量情報を上記第２の基地局へ送信し、上記データの上記量は、ＰＤＣＰレイヤで、又は、ＰＤＣＰレイヤとＲＬＣレイヤとの間でカウントされるデータ量である。【００１３】
本発明の一形態において、上記第１の方法、上記第２の方法及び上記第３の方法のうちの少なくとも１つをプロセッサに実行させるプログラム、又は当該プログラムを記録したコンピュータに読み取り可能な非一時的記録媒体が提供されてもよい。
【発明の効果】
【００１４】
本発明の一形態によれば、デュアルコネクティビティにおいてセカンダリノード（ＳＮ）からマスタノード（ＭＮ）へのデータ量の報告が可能になる。なお、本発明の一形態により、当該効果の代わりに、又は当該効果とともに、他の効果が奏されてもよい。
【図面の簡単な説明】
【００１５】
【図１】実施形態に係るシステムの概略的な構成の一例を示す説明図である。
【図２】実施形態に係る各無線ベアラのレイヤ処理の例を説明するための説明図である。
【図３】実施形態に係る第１の基地局の分割（Ｓｐｌｉｔ）の例を説明するための説明図である。
【図４】実施形態に係る第１の基地局の分割の第１の例を説明するための説明図である。
【図５】実施形態に係るＭＮ  Ｔｅｒｍｉｎａｔｅｄ  ｂｅａｒｅｒについてのデータルートの例を説明するための説明図である。
【図６】実施形態に係る第１の基地局の分割の第２の例を説明するための説明図である。
【図７】実施形態に係るＣＵの概略的な構成の例を示すブロック図である。
【図８】実施形態に係るＤＵの概略的な構成の例を示すブロック図である。
【図９】実施形態に係る第２の基地局の概略的な構成の例を示すブロック図である。
【図１０】実施形態に係る端末装置の概略的な構成の例を示すブロック図である。
【図１１】第１の実施形態に係るＳＥＣＯＮＤＡＲＹ  ＲＡＴ  ＤＡＴＡ  ＵＳＡＧＥ  ＲＥＰＯＲＴメッセージの例を説明するための第１の説明図である。
【図１２】第１の実施形態に係るＳＥＣＯＮＤＡＲＹ  ＲＡＴ  ＤＡＴＡ  ＵＳＡＧＥ  ＲＥＰＯＲＴメッセージの例を説明するための第２の説明図である。
【図１３】第１の実施形態に係る処理の概略的な流れの例を説明するためのシーケンス図である。
【図１４】第２の実施形態に係る処理の概略的な流れの例を説明するためのシーケンス図である。
【図１５】実施形態の変形例に係る第１の基地局の分割（Ｓｐｌｉｔ）の例を説明するための説明図である。
【図１６】実施形態の変形例に係る第１の基地局１００の分割（Ｈｉｇｈｅｒ  Ｌａｙｅｒ  Ｓｐｌｉｔ）の例を説明するための説明図である。
【図１７】第１の実施形態の変形例に係る処理の概略的な流れの例を説明するためのシーケンス図である。
【図１８】第２の実施形態の変形例に係る処理の概略的な流れの例を説明するためのシーケンス図である。
【図１９】第３の実施形態に係る第１の通信装置の概略的な構成の例を示すブロック図である。
【図２０】第３の実施形態に係る第２の通信装置の概略的な構成の例を示すブロック図である。
【図２１】第３の実施形態に係る端末装置の概略的な構成の例を示すブロック図である。
【発明を実施するための形態】
【００１６】
以下、添付の図面を参照して本発明の実施形態 （以下、「本実施形態」と呼ぶ）を詳細に説明する。なお、本明細書及び図面において、同様に説明されることが可能な要素については、同一の符号を付することにより重複説明が省略され得る。
【００１７】
説明は、以下の順序で行われる。
１．本実施形態の概要
２．システムの構成
３．各ノードの構成
３．１．中央ユニット（ＣＵ）の構成
３．２．分散ユニット（ＤＵ）の構成
３．３．第２の基地局の構成
３．４．端末装置の構成
４．第１の実施形態
５．第２の実施形態
６．変形例
７．第３の実施形態
７．１．第１の通信装置の構成
７．２．第２の通信装置の構成
７．３．端末装置の構成
７．４．技術的特徴
【００１８】
＜＜１．本実施形態の概要＞＞
まず、本実施形態の概要を説明する。
【００１９】
（１）技術的課題
３ＧＰＰのＲｅｌｅａｓｅ１５では、ＥＮ−ＤＣが規定されている。ＥＮ−ＤＣでは、ＵＥは、マスタノード（ＭＮ）として動作する１つのｅＮＢと、セカンダリノードとして動作するｅｎ−ｇＮＢとに接続される。
【００２０】
さらに、ＥＮ−ＤＣの一機能として、Ｓｅｃｏｎｄａｒｙ  ＲＡＴ  Ｄａｔａ  Ｕｓａｇｅ  Ｒｅｐｏｒｔ機能が規定されている。ｅｎ−ｅＮＢは、セカンダリＲＡＴであるＮＲ（Ｎｅｗ  Ｒａｄｉｏ）を用いてｅｎ−ｅＮＢとＵＥとの間で伝達されたユーザデータの量をカウント（測定）し、Ｘ２ＡＰ：Ｓｅｃｏｎｄａｒｙ  ＲＡＴ  Ｄａｔａ  Ｕｓａｇｅ  Ｒｅｐｏｒｔメッセージでこのデータ量をＭｅＮＢ（ＭＮであるｅＮＢ）に報告する。
【００２１】
しかし、Ｓｅｃｏｎｄａｒｙ  ＲＡＴ  Ｄａｔａ  Ｕｓａｇｅ  Ｒｅｐｏｒｔ機能の実現手法が規定されていない。より具体的には、ＳＮであるｅｎ−ｇＮＢがデータ量をカウント（測定）する手法は規定されていない。
【００２２】
例えば、ＭＮ  Ｔｅｒｍｉｎａｔｅｄ  ｂｅａｒｅｒ（ＭＮ  Ｔｅｒｍｉｎａｔｅｄ  ＳＣＧ／Ｓｐｌｉｔ  ｂｅａｒｅｒ）を通じてＳＮとＵＥとの間で伝達されるデータについては、ＰＤＣＰ（Ｐａｃｋｅｔ  Ｄａｔａ  Ｃｏｎｖｅｒｇｅｎｃｅ  Ｐｒｏｔｏｃｏｌ）レイヤの処理はＭＮにおいて行われ、ＲＬＣ（Ｒａｄｉｏ  Ｌｉｎｋ  Ｃｏｎｔｒｏｌ）レイヤ以下のレイヤの処理はＳＮにおいて行われる。一方、ＳＮ  Ｔｅｒｍｉｎａｔｅｄ  ｂｅａｒｅｒ（ＳＮ  Ｔｅｒｍｉｎａｔｅｄ  ＳＣＧ／Ｓｐｌｉｔ  ｂｅａｒｅｒ）を通じてＳＮとＵＥとの間で伝達されるデータについては、ＰＤＣＰレイヤの処理も、ＲＬＣレイヤ以下のレイヤの処理も、ＳＮにおいて行われる。このように、データの処理ルートが複雑であるにもかかわらず、ＳＮ（ｅｎ−ｇＮＢ）がどのようにデータ量をカウント（測定）するかは規定されていない。
【００２３】
なお、ＥＮ−ＤＣに限らず、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）及びＮＥ−ＤＣ（ＮＲ−Ｅ−ＵＴＲＡ  Ｄｕａｌ  Ｃｏｎｎｅｃｔｉｖｉｔｙ）等の他のＤＣについても同様に、ＳＮがデータ量をカウント（測定）する手法が求められる。
【００２４】
（２）技術的特徴
本実施形態では、例えば、少なくともＮＲ（Ｎｅｗ  Ｒａｄｉｏ）を用いるデュアルコネクティビティ（ＤＣ）のセカンダリノード（ＳＮ）として端末装置のために動作する第１の基地局と当該端末装置との間で伝達されるデータの量は、ＰＤＣＰレイヤで、又はＰＤＣＰレイヤとＲＬＣレイヤとの間でカウントされる。
【００２５】
これにより、例えば、デュアルコネクティビティにおいてセカンダリノード（ＳＮ）からマスタノード（ＭＮ）へのデータ量の報告が可能になる。具体的には、例えば、ＳＮとして動作する基地局は、中央ユニットと分散ユニットとに分割され得るが、分割の種類（Ｈｉｇｈｅｒ  Ｌａｙｅｒ  Ｓｐｌｉｔ、Ｌｏｗｅｒ  Ｌａｙｅｒ  Ｓｐｌｉｔ）によらず、ＰＤＣＰレイヤの処理は中央ユニット（ＣＵ）において実行される。そのため、ＰＤＣＰレイヤでの、又はＰＤＣＰレイヤとＲＬＣレイヤとの間でのデータ量のカウントは、ＭＮへのデータ量の報告を担うＣＵにより行われることが可能である。よって、ＣＵは、カウントされたデータ量をＭＮに報告することが可能となる。
【００２６】
＜＜２．システムの構成＞＞
図１を参照して、本実施形態に係るシステム１の構成の例を説明する。図１は、本実施形態に係るシステム１の概略的な構成の一例を示す説明図である。図１を参照すると、システム１は、コアネットワーク１０、第１の基地局１００、第２の基地局４００及び端末装置５００を含む。
【００２７】
（１）規格／仕様への準拠
例えば、システム１は、３ＧＰＰの規格（ｓｔａｎｄａｒｄ）又は仕様（ｓｐｅｃｉｆｉｃａｔｉｏｎ）に準拠したシステムである。より具体的には、例えば、システム１は、第５世代（５Ｇ）若しくはＮＲ（Ｎｅｗ  Ｒａｄｉｏ）の規格又は仕様に準拠する。システム１は、ＬＴＥ（Ｌｏｎｇ  Ｔｅｒｍ  Ｅｖｏｌｕｔｉｏｎ）若しくはＳＡＥ（Ｓｙｓｔｅｍ  Ａｒｃｈｉｔｅｃｔｕｒｅ  Ｅｖｏｌｕｔｉｏｎ）の規格又は仕様にも準拠し得る。ここでのＬＴＥは、ＬＴＥ−Ａｄｖａｎｃｅｄ又はｅＬＴＥ（ｅｎｈａｎｃｅｄ  ＬＴＥ）であってもよく、（ノーマルの）ＬＴＥであってもよく、他の種類のＬＴＥであってもよい。
【００２８】
（２）インタフェース
第１の基地局１００は、インタフェース３０を介してコアネットワーク１０と通信する。第２の基地局４００は、インタフェース４０を介してコアネットワーク１０と通信する。
【００２９】
一例として、コアネットワーク１０は、ＥＰＣ（Ｅｖｏｌｖｅｄ  Ｐａｃｋｅｔ  Ｃｏｒｅ）（即ち、４Ｇ（Ｆｏｕｒｔｈ−Ｇｅｎｅｒａｔｉｏｎ）のコアネットワーク）である。この場合に、例えば、インタフェース３０及びインタフェース４０は、Ｓ１インタフェースである。
【００３０】
別の例として、コアネットワーク１０は、５ＧＣ（Ｆｉｆｔｈ−Ｇｅｎｅｒａｔｉｏｎ  Ｃｏｒｅ  ｎｅｔｗｏｒｋ）であってもよい。この場合に、インタフェース３０及びインタフェース４０は、ＮＧインタフェースであってもよい。
【００３１】
第１の基地局１００及び第２の基地局４００は、インタフェース５０を介して互いに通信する。
【００３２】
（３）デュアルコネクティビティ
第１の基地局１００は、端末装置５００と無線で通信する。また、第２の基地局４００も、端末装置５００と無線で通信する。端末装置５００は、デュアルコネクティビティをサポートし、例えば、第１の基地局１００及び第２の基地局４００と同時に接続される。とりわけ本実施形態では、第１の基地局１００は、端末装置５００のために、デュアルコネクティビティのセカンダリノード（ＳＮ）として動作し、第２の基地局４００は、端末装置５００のために、デュアルコネクティビティのマスタノード（ＭＮ）として動作する。
【００３３】
本実施形態では、上記デュアルコネクティビティは、ＲＡＴ（Ｒａｄｉｏ  Ａｃｃｅｓｓ  Ｔｅｃｈｎｏｌｏｇｙ）として少なくともＮＲ（Ｎｅｗ  Ｒａｄｉｏ）を用いる。即ち、マスタノード（第２の基地局４００）及びセカンダリノード（第１の基地局１００）の少なくとも一方は、ＮＲを用いて端末装置５００と通信する。なお、上記ＮＲは、３ＧＰＰの５Ｇ（Ｆｉｆｔｈ−Ｇｅｎｅｒａｔｉｏｎ）のＲＡＴであり、Ｎｅｗ  ＲＡＴ（ＮＲ）又は５Ｇ  ＮＲ（Ｎｅｗ  Ｒａｄｉｏ／ＲＡＴ）等と呼ばれ得る。
【００３４】
−ＮＲ＋ＬＴＥ
例えば、上記デュアルコネクティビティは、ＮＲ及びＬＴＥを用いるデュアルコネクティビティである。即ち、マスタノード（第２の基地局４００）及びセカンダリノード（第１の基地局１００）の一方が、ＮＲを用いて端末装置５００と通信し、他方が、ＬＴＥを用いて端末装置５００と通信する。上述したように、ここでのＬＴＥは、ＬＴＥ−Ａｄｖａｎｃｅｄ又はｅＬＴＥ（ｅｎｈａｎｃｅｄ  ＬＴＥ）であってもよく、（ノーマルの）ＬＴＥであってもよく、他の種類のＬＴＥであってもよい。
【００３５】
−−ＥＮ−ＤＣ
一例として、上記デュアルコネクティビティは、ＥＮ−ＤＣであり、第１の基地局１００は、ｅｎ−ｇＮＢであり、上記第２の基地局４００は、ＭｅＮＢ（Ｍａｓｔｅｒ  ｅＮＢ）である。即ち、マスタノード（ＭＮ）である第２の基地局４００（ＭｅＮＢ）は、ＲＡＴとしてＬＴＥを用いて端末装置５００と通信し、セカンダリノード（ＳＮ）である第１の基地局１００（ｅｎ−ｇＮＢ）は、ＲＡＴとしてＮＲを用いて端末装置５００と通信する。この場合に、コアネットワーク１０は、ＥＰＣであり、第１の基地局１００と第２の基地局４００との間のインタフェース５０は、Ｘ２インタフェースである。
【００３６】
図２は、本実施形態に係る各無線ベアラのレイヤ処理の例を説明するための説明図である。図２を参照すると、セカンダリノード（ＳＮ）である第１の基地局１００（ｅｎ−ｇＮＢ）、及びマスタノード（ＭＮ）である第２の基地局４００（ＭｅＮＢ）と、各無線ベアラとが示されている。無線ベアラとして、ＭＮにて終端する（即ちＰＤＣＰがＭＮに位置する）ＭＮ  Ｔｅｒｍｉｎａｔｅｄ  ｂｅａｒｅｒと、ＳＮにて終端する（即ちＰＤＣＰがＳＮに位置する）ＳＮ  Ｔｅｒｍｉｎａｔｅｄ  ｂｅａｒｅｒとがある。さらに、ＭＮ  Ｔｅｒｍｉｎａｔｅｄ  ｂｅａｒｅｒとして、ＭＣＧ（Ｍａｓｔｅｒ  Ｃｅｌｌ  Ｇｒｏｕｐ）  ｂｅａｒｅｒ、ＳＣＧ（Ｓｅｃｏｎｄａｒｙ  Ｃｅｌｌ  Ｇｒｏｕｐ）  ｂｅａｒｅｒ及びＳｐｌｉｔ  ｂｅａｒｅｒがある。また、ＳＮ  Ｔｅｒｍｉｎａｔｅｄ  ｂｅａｒｅｒとして、同様に、ＭＣＧ  ｂｅａｒｅｒ、ＳＣＧ  ｂｅａｒｅｒ及びＳｐｌｉｔ  ｂｅａｒｅｒがある。ＭＣＧ  ｂｅａｒｅｒは、ＭＣＧにのみＲＬＣベアラをもつ無線ベアラであり、ＭＣＧ  ｂｅａｒｅｒについてのＲＬＣレイヤ、ＭＡＣレイヤ及び物理レイヤの処理は、ＭＮ（第２の基地局４００）において行われる。ＳＣＧ  ｂｅａｒｅｒは、ＳＣＧにのみＲＬＣベアラをもつ無線ベアラであり、ＳＣＧ  ｂｅａｒｅｒについてのＲＬＣレイヤ、ＭＡＣレイヤ及び物理レイヤの処理は、ＳＮ（第１の基地局１００）において行われる。Ｓｐｌｉｔ  ｂｅａｒｅｒは、ＭＣＧ及びＳＣＧの両方にＲＬＣベアラをもつ無線ベアラであり、Ｓｐｌｉｔ  ｂｅａｒｅｒについてのＲＬＣレイヤ、ＭＡＣレイヤ及び物理レイヤの処理は、ＭＮ（第２の基地局４００）及びＳＮ（第１の基地局１００）の両方において行われる。
【００３７】
なお、上記デュアルコネクティビティがＥＮ−ＤＣである例を説明したが、本実施形態はこの例に限定されない。
【００３８】
−−ＮＧＥＮ−ＤＣ
一例として、上記デュアルコネクティビティは、ＮＧＥＮ−ＤＣであってもよく、第１の基地局１００は、ＳＮとして動作するｇＮＢであってもよく、上記第２の基地局４００は、ＭＮとして動作するｎｇ−ｅＮＢであってもよい。この場合に、コアネットワーク１０は、５ＧＣであってもよく、第１の基地局１００と第２の基地局４００との間のインタフェース５０は、Ｘｎインタフェースであってもよい。
【００３９】
−−ＮＥ−ＤＣ
別の例として、上記デュアルコネクティビティは、ＮＥ−ＤＣであってもよく、第１の基地局１００は、ＳＮとして動作するｎｇ−ｇＮＢであってもよく、上記第２の基地局４００は、ＭＮとして動作するｇＮＢであってもよい。この場合に、コアネットワーク１０は、５ＧＣであってもよく、第１の基地局１００と第２の基地局４００との間のインタフェース５０は、Ｘｎインタフェースであってもよい。
【００４０】
−ＮＲのみ
あるいは、上記デュアルコネクティビティは、（ＬＴＥを用いずに）ＮＲを用いるデュアルコネクティビティであってもよい。即ち、マスタノード（第２の基地局４００）及びセカンダリノード（第１の基地局１００）の両方が、ＮＲを用いて端末装置５００と通信してもよい。第１の基地局１００は、ＳＮとして動作するｇＮＢであってもよく、上記第２の基地局４００は、ＭＮとして動作するｇＮＢであってもよい。この場合に、コアネットワーク１０は、５ＧＣであってもよく、第１の基地局１００と第２の基地局４００との間のインタフェース５０は、Ｘｎインタフェースであってもよい。
【００４１】
なお、第１の基地局１００は、第１のオペレータの基地局であってもよく、第２の基地局４００は、当該第１のオペレータとは異なる第２のオペレータの基地局であってもよい。即ち、上記デュアルコネクティビティは、オペレータ間でのデュアルコネクティビティであってもよい。
【００４２】
（４）第１の基地局の分割（Ｓｐｌｉｔ）
例えば、第１の基地局１００は、中央ユニット（ＣＵ：Ｃｅｎｔｒａｌ  Ｕｎｉｔ）及び１つ以上の分散ユニット（ＤＵ：Ｄｉｓｔｒｉｂｕｔｅｄ  Ｕｎｉｔ）を含む。
【００４３】
図３は、本実施形態に係る第１の基地局１００の分割（Ｓｐｌｉｔ）の例を説明するための説明図である。図３を参照すると、第１の基地局１００に含まれる中央ユニット（ＣＵ）２００及び分散ユニット（ＤＵ）３００が示されてる。ＣＵ２００及び各ＤＵ３００は、インタフェース６０を介して互いに通信する。この例では、２つのＤＵ３００が示されているが、第１の基地局１００は、３つ以上のＤＵ３００を含んでもよく、１つのＤＵ３００のみを含んでもよい。
【００４４】
−Ｈｉｇｈｅｒ  Ｌａｙｅｒ  Ｓｐｌｉｔ
例えば、第１の基地局１００は、Ｈｉｇｈｅｒ  Ｌａｙｅｒ  Ｓｐｌｉｔにより分割される。
【００４５】
図４は、本実施形態に係る第１の基地局１００の分割の第１の例を説明するための説明図である。図４を参照すると、第１の基地局１００に含まれるＣＵ２００及びＤＵ３００が示されている。ＰＤＣＰレイヤは、ＣＵ２００に位置し、ＲＬＣレイヤ、ＭＡＣレイヤ及び物理（ＰＨＹ）レイヤは、ＤＵ３００に位置する。即ち、ＣＵ２００は、ＰＤＣＰレイヤの処理を実行し、ＤＵ３００は、ＲＬＣレイヤ、ＭＡＣレイヤ及びＰＨＹレイヤの処理を実行する。この場合に、インタフェース６０は、Ｆ１インタフェースである。
【００４６】
図４を参照して、ＣＵ２００にＰＤＣＰレイヤが位置する例を説明したが、特にＮＧＥＮ−ＤＣやＮＥ−ＤＣの場合には、ＣＵ２００にＳＤＡＰ（Ｓｅｒｖｉｃｅ  Ｄａｔａ  Ａｄａｐｔａｔｉｏｎ  Ｐｒｏｔｏｃｏｌ）レイヤが位置していてもよい。
【００４７】
このようなＨｉｇｈｅｒ  Ｌａｙｅｒ  Ｓｐｌｉｔの場合に、ＭＮ  Ｔｅｒｍｉｎａｔｅｄ  ｂｅａｒｅｒを通じてＳＮ（第１の基地局１００）と端末装置５００との間で伝達されるデータは、ＳＮのＣＵ２００を経由して、ＭＮ（第２の基地局４００）とＳＮのＤＵ３００との間で伝達されてもよい（第１の例）。あるいは、当該データは、ＳＮのＣＵ２００を経由せずに、ＭＮ（第２の基地局４００）とＳＮのＤＵ３００との間で直接的に伝達されてもよい（第２の例）。
【００４８】
図５は、本実施形態に係るＭＮ  Ｔｅｒｍｉｎａｔｅｄ  ｂｅａｒｅｒについてのデータルートの例を説明するための説明図である。図５を参照すると、第１の基地局１００に含まれるＣＵ２００及びＤＵ３００と、第２の基地局４００とが示されている。第１の例として、ＭＮ  Ｔｅｒｍｉｎａｔｅｄ  ｂｅａｒｅｒを通じてＳＮ（第１の基地局１００）と端末装置５００との間で伝達されるデータは、ＣＵ２００を経由して、ＭＮ（第２の基地局４００）とＳＮのＤＵ３００との間で伝達されてもよい。即ち、当該データは、インタフェース５０（例えばＸ２−Ｕ）及びインタフェース６０（例えばＦ１−Ｕ）を介してルート７０で伝達されてもよい。第２の例として、上記データは、ＣＵ２００を経由せずに、ＭＮ（第２の基地局４００）とＳＮのＤＵ３００との間で直接的に伝達されてもよい。即ち、上記データは、ルート８０で伝達されてもよい。
【００４９】
なお、第１の基地局１００の分割の例を説明したが、第２の基地局４００も第１の基地局１００と同様に分割されてもよい。あるいは、第２の基地局４００には、第１の基地局１００の分割（Ｈｉｇｈｅｒ  Ｌａｙｅｒ  Ｓｐｌｉｔ）とは異なる分割（例えばＬｏｗｅｒ  Ｌａｙｅｒ  Ｓｐｌｉｔ）が適用されてもよい。
【００５０】
−Ｌｏｗｅｒ  Ｌａｙｅｒ  Ｓｐｌｉｔ
あるいは、第１の基地局１００は、Ｌｏｗｅｒ  Ｌａｙｅｒ  Ｓｐｌｉｔにより分割されてもよい。
【００５１】
図６は、本実施形態に係る第１の基地局１００の分割の第２の例を説明するための説明図である。図６を参照すると、第１の基地局１００に含まれるＣＵ２００及びＤＵ３００が示されている。図２０に示されるように、ＰＤＣＰレイヤ、ＲＬＣレイヤ、ＭＡＣレイヤ、及び物理（ＰＨＹ）レイヤ（上位部分）は、ＣＵ２００に位置してもよく、ＰＨＹレイヤ（下位部分）は、ＤＵ３００に位置してもよい。即ち、ＣＵ２００は、ＰＤＣＰレイヤ、ＲＬＣレイヤ、ＭＡＣレイヤ及びＰＨＹレイヤ（上位部分）の処理を実行してもよく、ＤＵ３００は、ＰＨＹレイヤ（下位部分）の処理を実行してもよい。
【００５２】
なお、第１の基地局１００の分割の例を説明したが、第２の基地局４００も第１の基地局１００と同様に分割されてもよい。あるいは、第２の基地局４００には、第１の基地局１００の分割（Ｌｏｗｅｒ  Ｌａｙｅｒ  Ｓｐｌｉｔ）とは異なる分割（例えばＨｉｇｈｅｒ  Ｌａｙｅｒ  Ｓｐｌｉｔ）が適用されてもよい。
【００５３】
＜＜３．各ノードの構成＞＞
図７〜図１０を参照して、各ノードの構成を説明する。
【００５４】
＜３．１．中央ユニット（ＣＵ）の構成＞
図７は、本実施形態に係るＣＵ２００の概略的な構成の例を示すブロック図である。図７を参照すると、ＣＵ２００は、第１ネットワーク通信部２１０、第２ネットワーク通信部２２０、記憶部２３０及び処理部２４０を備える。
【００５５】
（１）第１ネットワーク通信部２１０
第１ネットワーク通信部２１０は、ＤＵ３００からの信号を受信し、ＤＵ３００への信号を送信する。
【００５６】
（２）第２ネットワーク通信部２２０
第２ネットワーク通信部２２０は、第２の基地局４００からの信号を受信し、第２の基地局４００への信号を送信する。
【００５７】
第２ネットワーク通信部２２０は、コアネットワーク１０からの信号を受信してもよく、コアネットワーク１０への信号を送信してもよい。
【００５８】
（３）記憶部２３０
記憶部２３０は、ＣＵ２００の動作のためのプログラム（命令）及びパラメータ、並びに様々なデータを、一時的に又は恒久的に記憶する。当該プログラムは、ＣＵ２００の動作のための１つ以上の命令を含む。
【００５９】
（４）処理部２４０
処理部２４０は、ＣＵ２００の様々な機能を提供する。処理部２４０は、第１通信処理部２４１、第２通信処理部２４３、カウント部２４５及び情報取得部２４７を含む。カウント部２４５は、測定部２４５と呼ばれてもよい。なお、処理部２４０は、これらの構成要素以外の他の構成要素をさらに含み得る。即ち、処理部２４０は、これらの構成要素の動作以外の動作も行い得る。
【００６０】
例えば、処理部２４０（第１通信処理部２４１）は、第１ネットワーク通信部２１０を介してＤＵ３００と通信する。例えば、処理部２４０（第２通信処理部２４３）は、第２ネットワーク通信部２２０を介して第２の基地局４００（又はコアネットワーク１０）と通信する。
【００６１】
（５）実装例
第１ネットワーク通信部２１０及び第２ネットワーク通信部２２０の各々は、ネットワークアダプタ並びに／又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他の種類のプロセッサ等の１つ以上のプロセッサにより実装されてもよい。第１通信処理部２４１、第２通信処理部２４３、カウント部２４５及び情報取得部２４７は、同一のプロセッサにより実装されてもよく、別々に異なるプロセッサにより実装されてもよい。上記メモリ（記憶部２３０）は、上記１つ以上のプロセッサ内に含まれていてもよく、又は、上記１つ以上のプロセッサ外にあってもよい。
【００６２】
ＣＵ２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（第１通信処理部２４１、第２通信処理部２４３、カウント部２４５及び／又は情報取得部２４７の動作）を行ってもよい。上記プログラムは、処理部２４０の動作（第１通信処理部２４１、第２通信処理部２４３、カウント部２４５及び／又は情報取得部２４７の動作）をプロセッサに実行させるためのプログラムであってもよい。
【００６３】
なお、ＣＵ２００は、仮想化されていてもよい。即ち、ＣＵ２００は、仮想マシンとして実装されてもよい。この場合に、ＣＵ２００（仮想マシン）は、プロセッサ及びメモリ等を含む物理マシン（ハードウェア）及びハイパーバイザ上で仮想マシンとして動作してもよい。
【００６４】
＜３．２．分散ユニット（ＤＵ）の構成＞
図８は、本実施形態に係るＤＵ３００の概略的な構成の例を示すブロック図である。図８を参照すると、ＤＵ３００は、無線通信部３１０、ネットワーク通信部３２０、記憶部３３０及び処理部３４０を備える。
【００６５】
（１）無線通信部３１０
無線通信部３１０は、信号を無線で送受信する。例えば、無線通信部３１０は、端末装置５００からの信号を受信し、端末装置５００への信号を送信する。
【００６６】
（２）ネットワーク通信部３２０
ネットワーク通信部３２０は、ＣＵ２００からの信号を受信し、ＣＵ２００への信号を送信する。ネットワーク通信部３２０は、他のノード（例えば第２の基地局４００）からの信号を受信してもよく、当該他のノードへの信号を送信してもよい。
【００６７】
（３）記憶部３３０
記憶部３３０は、ＤＵ３００の動作のためのプログラム（命令）及びパラメータ、並びに様々なデータを、一時的に又は恒久的に記憶する。当該プログラムは、ＤＵ３００の動作のための１つ以上の命令を含む。
【００６８】
（４）処理部３４０
処理部３４０は、ＤＵ３００の様々な機能を提供する。処理部３４０は、第１通信処理部３４１及び第２通信処理部３４３を含む。なお、処理部３４０は、これらの構成要素以外の他の構成要素をさらに含み得る。即ち、処理部３４０は、これらの構成要素の動作以外の動作も行い得る。
【００６９】
例えば、処理部３４０（第１通信処理部３４１）は、無線通信部３１０を介して端末装置５００と通信する。例えば、処理部３４０（第２通信処理部３４３）は、ネットワーク通信部３２０を介してＣＵ２００（又は第２の基地局４００）と通信する。
【００７０】
（５）実装例
無線通信部３１０は、アンテナ及び高周波（Radio  Frequency：ＲＦ）回路等により実装されてもよく、当該アンテナは、指向性アンテナであってもよい。ネットワーク通信部３２０は、ネットワークアダプタ並びに／又はネットワークインタフェースカード等により実装されてもよい。記憶部３３０は、メモリ（例えば、不揮発性メモリ及び／若しくは揮発性メモリ）並びに／又はハードディスク等により実装されてもよい。処理部３４０は、ベースバンド（ＢＢ）プロセッサ及び／又は他の種類のプロセッサ等の１つ以上のプロセッサにより実装されてもよい。第１通信処理部３４１及び第２通信処理部３４３は、同一のプロセッサにより実装されてもよく、別々に異なるプロセッサにより実装されてもよい。上記メモリ（記憶部３３０）は、上記１つ以上のプロセッサ内に含まれていてもよく、又は、上記１つ以上のプロセッサ外にあってもよい。
【００７１】
ＤＵ３００は、プログラム（命令）を記憶するメモリと、当該プログラム（命令）を実行可能な１つ以上のプロセッサとを含んでもよい。当該１つ以上のプロセッサは、上記プログラムを実行して、処理部３４０の動作（第１通信処理部３４１及び／又は第２通信処理部３４３の動作）を行ってもよい。上記プログラムは、処理部３４０の動作（第１通信処理部３４１及び／又は第２通信処理部３４３の動作）をプロセッサに実行させるためのプログラムであってもよい。
【００７２】
なお、ＤＵ３００は、仮想化されていてもよい。即ち、ＤＵ３００は、仮想マシンとして実装されてもよい。この場合に、ＤＵ３００（仮想マシン）は、プロセッサ及びメモリ等を含む物理マシン（ハードウェア）及びハイパーバイザ上で仮想マシンとして動作してもよい。
【００７３】
＜３．３．第２の基地局の構成＞
図９は、本実施形態に係る第２の基地局４００の概略的な構成の例を示すブロック図である。図９を参照すると、第２の基地局４００は、無線通信部４１０、ネットワーク通信部４２０、記憶部４３０及び処理部４４０を備える。
【００７４】
（１）無線通信部４１０
無線通信部４１０は、信号を無線で送受信する。例えば、無線通信部４１０は、端末装置５００からの信号を受信し、端末装置５００への信号を送信する。
【００７５】
（２）ネットワーク通信部４２０
ネットワーク通信部４２０は、第１の基地局１００又はコアネットワーク１０からの信号を受信し、第１の基地局１００又はコアネットワーク１０への信号を送信する。
【００７６】
（３）記憶部４３０
記憶部４３０は、第２の基地局４００の動作のためのプログラム（命令）及びパラメータ、並びに様々なデータを、一時的に又は恒久的に記憶する。当該プログラムは、第２の基地局４００の動作のための１つ以上の命令を含む。
【００７７】
（４）処理部４４０
処理部４４０は、第２の基地局４００の様々な機能を提供する。処理部４４０は、第１通信処理部４４１、第２通信処理部４４３及びカウント部４４５を含む。カウント部４４５は、測定部４４５と呼ばれてもよい。なお、処理部４４０は、これらの構成要素以外の他の構成要素をさらに含み得る。即ち、処理部４４０は、これらの構成要素の動作以外の動作も行い得る。
【００７８】
例えば、処理部４４０（第１通信処理部４４１）は、無線通信部４１０を介して端末装置５００と通信する。例えば、処理部４４０（第２通信処理部４４３）は、ネットワーク通信部４２０を介して第１の基地局１００又はコアネットワーク１０と通信する。
【００７９】
（５）実装例
無線通信部４１０は、アンテナ及び高周波（ＲＦ）回路等により実装されてもよく、当該アンテナは、指向性アンテナであってもよい。ネットワーク通信部４２０は、ネットワークアダプタ並びに／又はネットワークインタフェースカード等により実装されてもよい。記憶部４３０は、メモリ（例えば、不揮発性メモリ及び／若しくは揮発性メモリ）並びに／又はハードディスク等により実装されてもよい。処理部４４０は、ベースバンド（ＢＢ）プロセッサ及び／又は他の種類のプロセッサ等の１つ以上のプロセッサにより実装されてもよい。第１通信処理部４４１、第２通信処理部４４３及びカウント部４４５は、同一のプロセッサにより実装されてもよく、別々に異なるプロセッサにより実装されてもよい。上記メモリ（記憶部４３０）は、上記１つ以上のプロセッサ内に含まれていてもよく、又は、上記１つ以上のプロセッサ外にあってもよい。
【００８０】
第２の基地局４００は、プログラム（命令）を記憶するメモリと、当該プログラム（命令）を実行可能な１つ以上のプロセッサとを含んでもよい。当該１つ以上のプロセッサは、上記プログラムを実行して、処理部４４０の動作（第１通信処理部４４１、第２通信処理部４４３及び／又はカウント部４４５の動作）を行ってもよい。上記プログラムは、処理部４４０の動作（第１通信処理部４４１、第２通信処理部４４３及び／又はカウント部４４５）をプロセッサに実行させるためのプログラムであってもよい。
【００８１】
第２の基地局４００は、中央ユニット（ＣＵ）及び分散ユニット（ＤＵ）を含んでもよい。当該ＣＵが、ネットワーク通信部４２０及び第２通信処理部４４３（並びにカウント部４４５）を含んでもよく、当該ＤＵが、無線通信部４１０及び第１通信処理部４４１を含んでもよい。
【００８２】
なお、第２の基地局４００（又は第２の基地局４００の一部であるＣＵ若しくはＤＵ）は、仮想化されていてもよい。即ち、第２の基地局４００（又は第２の基地局４００の一部であるＣＵ若しくはＤＵ）は、仮想マシンとして実装されてもよい。この場合に、第２の基地局４００（又は第２の基地局４００の一部であるＣＵ若しくはＤＵ）（仮想マシン）は、プロセッサ及びメモリ等を含む物理マシン（ハードウェア）及びハイパーバイザ上で仮想マシンとして動作してもよい。
【００８３】
＜３．４．端末装置の構成＞
図１０は、本実施形態に係る端末装置５００の概略的な構成の例を示すブロック図である。図１０を参照すると、端末装置５００は、第１無線通信部５１０、第２無線通信部５２０、記憶部５３０及び処理部５４０を備える。
【００８４】
（１）第１無線通信部５１０
第１無線通信部５１０は、信号を無線で送受信する。例えば、第１無線通信部５１０は、第１の基地局１００からの信号を受信し、第１の基地局１００への信号を送信する。
【００８５】
（２）第２無線通信部５２０
第２無線通信部５２０は、信号を無線で送受信する。例えば、第２無線通信部５２０は、第２の基地局４００からの信号を受信し、第２の基地局４００への信号を送信する。
【００８６】
（３）記憶部５３０
記憶部５３０は、端末装置５００の動作のためのプログラム（命令）及びパラメータ、並びに様々なデータを、一時的に又は恒久的に記憶する。当該プログラムは、端末装置５００の動作のための１つ以上の命令を含む。
【００８７】
（４）処理部５４０
処理部５４０は、端末装置５００の様々な機能を提供する。処理部５４０は、第１通信処理部５４１及び第２通信処理部５４３を含む。なお、処理部５４０は、これらの構成要素以外の他の構成要素をさらに含み得る。即ち、処理部５４０は、これらの構成要素の動作以外の動作も行い得る。
【００８８】
例えば、処理部５４０（第１通信処理部５４１）は、第１無線通信部５１０を介して第１の基地局１００と通信する。例えば、処理部５４０（第２通信処理部５４３）は、第２無線通信部５２０を介して第２の基地局４００と通信する。
【００８９】
（５）実装例
第１無線通信部５１０及び第２無線通信部５２０の各々は、アンテナ及び高周波（ＲＦ）回路等により実装されてもよい。記憶部５３０は、メモリ（例えば、不揮発性メモリ及び／若しくは揮発性メモリ）並びに／又はハードディスク等により実装されてもよい。処理部５４０は、ベースバンド（ＢＢ）プロセッサ及び／又は他の種類のプロセッサ等の１つ以上のプロセッサにより実装されてもよい。第１通信処理部５４１及び第２通信処理部５４３は、同一のプロセッサにより実装されてもよく、別々に異なるプロセッサにより実装されてもよい。上記メモリ（記憶部５３０）は、上記１つ以上のプロセッサ内に含まれていてもよく、又は、上記１つ以上のプロセッサ外にあってもよい。一例として、処理部５４０は、ＳｏＣ（System  on  Chip）内で実装されてもよい。
【００９０】
端末装置５００は、プログラム（命令）を記憶するメモリと、当該プログラム（命令）を実行可能な１つ以上のプロセッサとを含んでもよい。当該１つ以上のプロセッサは、上記プログラムを実行して、処理部５４０の動作（第１通信処理部５４１及び／又は第２通信処理部５４３の動作）をプロセッサに実行させるためのプログラムであってもよい。
【００９１】
＜＜４．第１の実施形態＞＞
図１１〜図１３を参照して、本発明の第１の実施形態を説明する。
【００９２】
（１）データ量情報の送信
第１の基地局１００は、少なくともＮＲを用いるデュアルコネクティビティのセカンダリノード（ＳＮ）として端末装置５００のために動作し、第２の基地局４００は、端末装置５００のために当該デュアルコネクティビティのマスタノード（ＭＮ）として動作する。この場合に、第１の基地局１００（ＳＮ）は、第１の基地局１００と端末装置５００との間で伝達されるデータの量を示すデータ量情報を取得し、当該データ量情報を第２の基地局４００（ＭＮ）へ送信する。
【００９３】
より具体的には、第１の基地局１００（ＳＮ）に含まれるＣＵ２００（情報取得部２４７）が、上記データ量情報を取得し、ＣＵ２００（第２通信処理部２４３）が、上記データ量情報を第２の基地局４００（ＭＮ）へ送信する。
【００９４】
例えば、ＣＵ２００（第２通信処理部２４３）は、上記データ量情報を含むメッセージを第２の基地局４００へ送信する。具体的には、例えば、上記デュアルコネクティビティは、ＥＮ−ＤＣであり、第１の基地局１００と第２の基地局４００との間のインタフェース５０は、Ｘ２インタフェースであり、上記メッセージは、Ｘ２メッセージである。例えば、上記メッセージは、Ｓｅｃｏｎｄａｒｙ  ＲＡＴ  Ｄａｔａ  Ｕｓａｇｅ  Ｒｅｐｏｒｔメッセージである。さらに、例えば、上記データ量情報は、Ｕｓａｇｅ  ｃｏｕｎｔ  ＵＬ及びＵｓａｇｅ  ｃｏｕｎｔ  ＤＬである。Ｕｓａｇｅ  ｃｏｕｎｔ  ＵＬ及びＵｓａｇｅ  ｃｏｕｎｔ  ＤＬは、それぞれＤａｔａ  Ｕｓａｇｅ  ＵＬ及びＤａｔａ  Ｕｓａｇｅ  ＤＬと呼ばれてもよい。上記データ量情報は、ｄａｔａ  ｕｓａｇｅ  ｖｏｌｕｍｅであってもよい。
【００９５】
図１１及び図１２は、第１の実施形態に係るＳＥＣＯＮＤＡＲＹ  ＲＡＴ  ＤＡＴＡ  ＵＳＡＧＥ  ＲＥＰＯＲＴメッセージの例を説明するための説明図である。図１１には、ＳＥＣＯＮＤＡＲＹ  ＲＡＴ  ＤＡＴＡ  ＵＳＡＧＥ  ＲＥＰＯＲＴメッセージの内容が示されており、ＳＥＣＯＮＤＡＲＹ  ＲＡＴ  ＤＡＴＡ  ＵＳＡＧＥ  ＲＥＰＯＲＴメッセージは、Ｓｅｃｏｎｄａｒｙ  ＲＡＴ  Ｕｓａｇｅ  Ｒｅｐｏｒｔ  ｌｉｓｔを含む。図１２には、Ｓｅｃｏｎｄａｒｙ  ＲＡＴ  Ｕｓａｇｅ  Ｒｅｐｏｒｔ  ｌｉｓｔの内容が示されており、Ｓｅｃｏｎｄａｒｙ  ＲＡＴ  Ｕｓａｇｅ  Ｒｅｐｏｒｔ  ｌｉｓｔは、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。
【００９６】
図１２にも示されるように、例えば、上記データ量情報は、ベアラごとの情報（ベアラごとのデータの量を示す情報）を含む。ここでのベアラは、無線ベアラ（ＲＢ）であってもよく、無線アクセスベアラ（ＲＡＢ）であってもよい。あるいは、上記データ量情報は、ＱｏＳフローごとの情報（ＱｏＳフローごとのデータの量を示す情報）を含んでもよい。
【００９７】
（２）データ量のカウント
第１の基地局１００は、第１の基地局１００（ＳＮ）と端末装置５００との間で伝達される上記データの上記量をカウントする。なお、「カウントする」という文言は、「測定する」という文言と置き換えられてもよい。
【００９８】
−ＰＤＣＰ
とりわけ、第１の基地局１００は、ＰＤＣＰレイヤで、又は、ＰＤＣＰレイヤとＲＬＣレイヤとの間で上記データの上記量をカウントする。
【００９９】
図４及び図５を参照して説明したように、第１の基地局１００の分割の種類によらず、ＰＤＣＰレイヤの処理は、ＣＵ２００により行われるので、第１の基地局１００のうちのＣＵ２００（カウント部２４５）が、上記データの上記量をカウントする。
【０１００】
例えば、第１の基地局１００（ＣＵ２００：カウント部２４５）は、ＰＤＣＰのパケットのデータ量をカウントする。例えば、当該パケットは、ＰＤＣＰのプロトコルデータユニット（ＰＤＵ）であってもよい。あるいは、当該パケットは、他のデータユニット（例えば、ＰＤＣＰのサービスデータユニット（ＳＤＵ））であってもよい。
【０１０１】
これにより、例えば、デュアルコネクティビティにおいてセカンダリノード（ＳＮ）からマスタノード（ＭＮ）へのデータ量の報告が可能になる。具体的には、例えば、ＳＮとして動作する第１の基地局１００は、ＣＵ２００とＤＵ３００とに分割されるが、分割の種類（Ｈｉｇｈｅｒ  Ｌａｙｅｒ  Ｓｐｌｉｔ、Ｌｏｗｅｒ  Ｌａｙｅｒ  Ｓｐｌｉｔ）によらず、ＰＤＣＰレイヤの処理はＣＵ２００において実行される。そのため、ＰＤＣＰレイヤでの、又はＰＤＣＰレイヤとＲＬＣレイヤとの間でのデータ量のカウントは、ＭＮへのデータ量の報告を担うＣＵ２００により行われることが可能である。よって、ＣＵ２００は、カウントされたデータ量をＭＮに報告することが可能となる。
【０１０２】
−カウントされるデータ
−−第１のデータ
第１の実施形態では、（データ量のカウントの対象となる）上記データは、上記セカンダリノード（ＳＮ）（第１の基地局１００）で終端する少なくとも１つの無線ベアラを通じて第１の基地局１００と端末装置５００との間で伝達される第１のデータである。即ち、第１の基地局１００（ＣＵ２００：カウント部２４５）は、当該第１のデータの量をカウントする。
【０１０３】
例えば、上記ＳＮ（第１の基地局１００）で終端する当該少なくとも１つの無線ベアラは、ＳＮ  Ｔｅｒｍｉｎａｔｅｄ  ｂｅａｒｅｒを含み、上記第１のデータは、当該ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００（ＳＮ）と端末装置５００との間で伝達されるデータである。
【０１０４】
−−第２のデータ
なお、第１の実施形態では、（データ量のカウントの対象となる）上記データは、上記マスタノード（ＭＮ）（第２の基地局４００）で終端する無線ベアラを通じて第１の基地局１００と端末装置５００との間で伝達される第２のデータを含まない。即ち、第１の基地局１００（ＣＵ２００：カウント部２４５）は、当該第２のデータの量をカウントしない。
【０１０５】
第１の実施形態では、第１の基地局１００の代りに、第２の基地局４００（カウント部４４５）が、上記第２のデータの量をカウントする。
【０１０６】
例えば、上記ＭＮ（第２の基地局４００）で終端する無線ベアラは、ＭＮ  Ｔｅｒｍｉｎａｔｅｄ  ｂｅａｒｅｒを含み、上記第２のデータは、当該ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００（ＳＮ）と端末装置５００との間で伝達されるデータである。
【０１０７】
以上のように、上記ＳＮで終端する上記無線ベアラ（ＳＮ  Ｔｅｒｍｉｎａｔｅｄ  ｂｅａｒｅｒ）を通じて伝達される上記第１のデータの上記量は、上記ＳＮである第１の基地局１００によりカウントされ、上記ＭＮで終端する上記無線ベアラ（ＭＮ  Ｔｅｒｍｉｎａｔｅｄ  ｂｅａｒｅｒ）を通じて伝達される上記第２のデータの上記量は、上記ＭＮである第２の基地局４００によりカウントされる。
【０１０８】
これにより、例えば、ＳＮ（第１の基地局１００）からＭＮ（第２の基地局４００）への（データ量の）報告をより小さくすることが可能になる。また、例えば、データ量のカウントがより容易になり得る。
【０１０９】
−ベアラ／ＱｏＳフロー
例えば、データ量のカウントは、ベアラごとに行われる。ここでのベアラは、無線ベアラ（ＲＢ）であってもよく、無線アクセスベアラ（ＲＡＢ）であってもよい。あるいは、データ量のカウントは、ＱｏＳフローごとに行われてもよい。
【０１１０】
−ダウンリンクデータの受渡状況に基づくカウント
例えば、（データ量のカウントの対象となる）上記データ（上記第１のデータ）は、第１の基地局１００から端末装置５００へ送信されるダウンリンクデータと、端末装置５００から第１の基地局１００へ送信されるアップリンクデータとを含む。
【０１１１】
例えば、第１の基地局１００（ＣＵ２００：カウント部２４５）は、端末装置５００への上記ダウンリンクデータの受渡（ｄｅｌｉｖｅｒｙ）の状況（ｓｔａｔｕｓ）に基づいて、上記ダウンリンクデータの量をカウントする。例えば、当該受渡の当該状況は、ＰＤＣＰレイヤよりも下位のレイヤ（例えばＲＬＣレイヤ）において確認される受渡状況である。
【０１１２】
例えば、ＣＵ２００が、ＰＤＣＰレイヤの処理を実行し、ＤＵ３００が、ＲＬＣレイヤ（及びその下位のレイヤ）の処理を実行する（Ｈｉｇｈｅｒ  Ｌａｙｅｒ  Ｓｐｌｉｔ）。この場合に、上記受渡の上記状況は、（Ｆ１インタフェースを介して）ＤＵ３００からＣＵ２００へ送信される情報である。一例として、上記受渡の上記状況は、ＤＬ  ＤＡＴＡ  ＤＥＬＩＶＥＲＹ  ＳＴＡＴＵＳフレームで示される。
【０１１３】
あるいは、ＣＵ２００が、ＰＤＣＰレイヤ、ＲＬＣレイヤ、ＭＡＣレイヤ及びＰＨＹレイヤ（上位部分）の処理を実行し、ＤＵ３００が、ＰＨＹレイヤ（下位部分）の処理を実行してもよい（Ｌｏｗｅｒ  Ｌａｙｅｒ  Ｓｐｌｉｔ）。この場合に、上記受渡の上記状況は、ＣＵ２００が自ら生成する情報であってもよい。
【０１１４】
これにより、例えば、ＰＤＣＰレイヤでのデータ量のカウント、又はＰＤＣＰレイヤとＲＬＣレイヤとの間でのデータ量のカウントの場合であっても、端末装置５００がダウンリンクデータを実際に受信したか否かに基づくデータ量のカウントが可能になる。
【０１１５】
なお、上記ＭＮ（第２の基地局４００）で終端する無線ベアラを通じて第１の基地局１００と端末装置５００との間で伝達される上記第２のデータも、第１の基地局１００から端末装置５００へ送信されるダウンリンクデータと、端末装置５００から第１の基地局１００へ送信されるアップリンクデータとを含んでもよい。この場合に、第２の基地局４００（カウント部４４５）は、端末装置５００への上記ダウンリンクデータの受渡の状況に基づいて、上記ダウンリンクデータの量をカウントしてもよい。当該受渡の当該状況は、ＰＤＣＰレイヤよりも下位のレイヤ（例えばＲＬＣレイヤ）において確認される受渡状況であってもよい。上記受渡の上記状況は、第１の基地局１００から第２の基地局４００へ送信される情報であってもよく、ＤＬ  ＤＡＴＡ  ＤＥＬＩＶＥＲＹ  ＳＴＡＴＵＳフレームで示されてもよい。
【０１１６】
（３）第２の基地局によるデータ量情報の送信
第２の基地局４００（第１通信処理部４４１）は、上記データ量情報を含む上記メッセージを第１の基地局１００（ＣＵ２００）から受信する。
【０１１７】
例えば、第２の基地局４００（第２通信処理部４４３）は、さらに、上記データ量情報（及び上記第２のデータの上記量を示す別のデータ量情報）が用いられたメッセージをコアネットワーク１０へ送信する。
【０１１８】
例えば、コアネットワーク１０へ送信される上記メッセージは、上記データ量情報（及び上記別のデータ量情報）を含み、ベアラ（又はＱｏＳフロー）ごとのデータの量を示す情報を含む。あるいは、コアネットワーク１０へ送信される上記メッセージは、上記データ量情報（及び上記別のデータ量情報）に基づいて（第２の基地局４００により）生成されたさらに別のデータ量情報（例えば集約（aggregate）されたデータ量情報）を含んでもよい。
【０１１９】
例えば、上記デュアルコネクティビティは、ＥＮ−ＤＣであり、第２の基地局４００とコアネットワーク１０との間のインタフェース４０は、Ｓ１インタフェースであり、上記メッセージは、Ｓ１メッセージである。より具体的には、例えば、上記メッセージは、ＳＥＣＯＮＤＡＲＹ  ＲＡＴ  ＲＥＰＯＲＴメッセージであり、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。Ｕｓａｇｅ  ｃｏｕｎｔ  ＵＬ及びＵｓａｇｅ  ｃｏｕｎｔ  ＤＬは、それぞれＤａｔａ  Ｕｓａｇｅ  ＵＬ及びＤａｔａ  Ｕｓａｇｅ  ＤＬと呼ばれてもよい。上記データ量情報は、ｄａｔａ  ｕｓａｇｅ  ｖｏｌｕｍｅであってもよい。
【０１２０】
（４）処理の流れ
図１３は、第１の実施形態に係る処理の概略的な流れの例を説明するためのシーケンス図である。
【０１２１】
ＳＮである第１の基地局１００（ＣＵ２００）は、ＳＮ  Ｔｅｒｍｉｎａｔｅｄ  ｂｅａｒｅｒを通じて第１の基地局１００（ＳＮ）と端末装置５００との間で伝達される第１のデータの量をＰＤＣＰレイヤでカウントする（Ｓ６０１）。
【０１２２】
ＭＮである第２の基地局４００は、ＭＮ  Ｔｅｒｍｉｎａｔｅｄ  ｂｅａｒｅｒを通じて第１の基地局１００（ＳＮ）と端末装置５００との間で伝達される第２のデータの量をＰＤＣＰレイヤでカウントする（Ｓ６０３）。
【０１２３】
第１の基地局１００（ＣＵ２００）は、カウントされた上記第１のデータの上記量を示すデータ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６０５）。
【０１２４】
なお、第２の基地局４００は、さらに、上記データ量情報（及び上記第２のデータの上記量を示す別のデータ量情報）を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１２５】
＜＜５．第２の実施形態＞＞
図１４を参照して、本発明の第１の実施形態を説明する。
【０１２６】
（１）データ量情報の送信
第１の基地局１００は、少なくともＮＲを用いるデュアルコネクティビティのセカンダリノード（ＳＮ）として端末装置５００のために動作し、第２の基地局４００は、端末装置５００のために当該デュアルコネクティビティのマスタノード（ＭＮ）として動作する。この場合に、第１の基地局１００（ＳＮ）は、第１の基地局１００と端末装置５００との間で伝達されるデータの量を示すデータ量情報を取得し、当該データ量情報を第２の基地局４００（ＭＮ）へ送信する。
【０１２７】
この点の説明については、第１の実施形態と第２の実施形態との間で差異ない。よって、ここでは重複する説明を省略する。
【０１２８】
（２）データ量のカウント
第１の基地局１００は、第１の基地局１００（ＳＮ）と端末装置５００との間で伝達される上記データの上記量をカウントする。なお、「カウントする」という文言は、「測定する」という文言と置き換えられてもよい。
【０１２９】
−ＰＤＣＰ
とりわけ、第１の基地局１００は、ＰＤＣＰレイヤで、又は、ＰＤＣＰレイヤとＲＬＣレイヤとの間で上記データの上記量をカウントする。
【０１３０】
この点の説明については、第１の実施形態と第２の実施形態との間で差異ない。よって、ここでは重複する説明を省略する。
【０１３１】
−カウントされるデータ
第２の実施形態では、（データ量のカウントの対象となる）上記データは、上記セカンダリノード（ＳＮ）（第１の基地局１００）で終端する無線ベアラを通じて第１の基地局１００と端末装置５００との間で伝達される第１のデータと、上記マスタノード（ＭＮ）（第２の基地局４００）で終端する無線ベアラを通じて第１の基地局１００と端末装置５００との間で伝達される第２のデータとを含む。そのため、上記データ量情報は、上記１のデータの量を示す第１のデータ量情報と、上記２のデータの量を示す第２のデータ量情報とを含む。
【０１３２】
例えば、上記ＳＮ（第１の基地局１００）で終端する当該無線ベアラは、ＳＮ  Ｔｅｒｍｉｎａｔｅｄ  ｂｅａｒｅｒであり、上記第１のデータは、当該ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００（ＳＮ）と端末装置５００との間で伝達されるデータである。
【０１３３】
例えば、上記ＭＮ（第２の基地局４００）で終端する上記無線ベアラは、ＭＮ  Ｔｅｒｍｉｎａｔｅｄ  ｂｅａｒｅｒであり、上記第２のデータは、当該ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００（ＳＮ）と端末装置５００との間で伝達されるデータである。
【０１３４】
上述のとおり、第２の実施形態では、第１の基地局１００（ＣＵ２００）が、上記ＭＮ（第２の基地局４００）で終端する無線ベアラを通じて伝達される上記第２のデータの上記量もカウントする。上記第２のデータについては、ＰＤＣＰレイヤの処理は、第２の基地局４００（ＭＮ）において行われ、ＲＬＣレイヤ及びそれ以下のレイヤの処理は、第１の基地局１００（ＳＮ）により行われるので、第１の基地局１００（ＣＵ２００）は、少なくとも上記第２のデータの上記量を、ＰＤＣＰレイヤとＲＬＣレイヤとの間でカウントする。一例として、第１の基地局１００（ＣＵ２００）は、ＰＤＣＰレイヤとＲＬＣレイヤとの間に、データ量のカウントのためのエンティティをもち、当該エンティティ（カウント部２４５）が、少なくとも上記第２のデータの上記量をカウントする。なお、第１の基地局１００（ＣＵ２００）は、例えば、上記第１のデータの上記量も、ＰＤＣＰレイヤとＲＬＣレイヤとの間でカウントする。あるいは、第１の基地局１００（ＣＵ２００）は、上記第１のデータの上記量をＰＤＣＰレイヤでカウントしてもよい。
【０１３５】
第２の実施形態において、例えば、ＣＵ２００が、ＰＤＣＰレイヤの処理を実行し、ＤＵ３００が、ＲＬＣレイヤ（及びその下位のレイヤ）の処理を実行する（Ｈｉｇｈｅｒ  Ｌａｙｅｒ  Ｓｐｌｉｔ）。図５を参照して上述したように、Ｈｉｇｈｅｒ  Ｌａｙｅｒ  Ｓｐｌｉｔの場合には、上記第２のデータは、ＣＵ２００経由ありのルート（ルート７０）、又はＣＵ２００経由なしの直接ルート（ルート８０）で伝達される。とりわけ第２の実施形態では、上記第２のデータは、ＣＵ２００を経由して、第２の基地局４００（ＭＮ）とＤＵ３００との間で伝達される。即ち、上記第２のルートは、図５に示されるルート７０で伝達される。そして、上記第２のデータの上記量は、ＣＵ２００によりカウントされる。これにより、例えば、Ｈｉｇｈｅｒ  Ｌａｙｅｒ  Ｓｐｌｉｔでも、ＣＵ２００によるデータ量のカウントが可能になる。
【０１３６】
以上のように、上記ＳＮで終端する上記無線ベアラ（ＳＮ  Ｔｅｒｍｉｎａｔｅｄ  ｂｅａｒｅｒ）を通じて伝達される上記第１のデータの上記量も、上記ＭＮで終端する上記無線ベアラ（ＭＮ  Ｔｅｒｍｉｎａｔｅｄ  ｂｅａｒｅｒ）を通じて伝達される上記第２のデータの上記量も、上記ＳＮである第１の基地局１００によりカウントされる。
【０１３７】
これにより、例えば、ＭＮ（第２の基地局４００）が、自らデータ量をカウントすることなく、ＳＮ（第１の基地局１００）と端末装置５００との間で伝達されるデータの量を示すデータ量情報を取得することが可能になる。
【０１３８】
−ベアラ／ＱｏＳフロー
例えば、データ量のカウントは、ベアラごとに行われる。ここでのベアラは、無線ベアラ（ＲＢ）であってもよく、無線アクセスベアラ（ＲＡＢ）であってもよい。あるいは、データ量のカウントは、ＱｏＳフローごとに行われてもよい。
【０１３９】
−ダウンリンクデータの受渡状況に基づくカウント
例えば、（データ量のカウントの対象となる）上記データ（上記第１のデータ及び上記第２のデータ）は、第１の基地局１００から端末装置５００へ送信されるダウンリンクデータと、端末装置５００から第１の基地局１００へ送信されるアップリンクデータとを含む。
【０１４０】
例えば、第１の基地局１００（ＣＵ２００：カウント部２４５）は、端末装置５００への上記ダウンリンクデータの受渡（ｄｅｌｉｖｅｒｙ）の状況（ｓｔａｔｕｓ）に基づいて、上記ダウンリンクデータの量をカウントする。例えば、当該受渡の当該状況は、ＰＤＣＰレイヤよりも下位のレイヤ（例えばＲＬＣレイヤ）において確認される受渡状況である。
【０１４１】
例えば、ＣＵ２００が、ＰＤＣＰレイヤの処理を実行し、ＤＵ３００が、ＲＬＣレイヤ（及びその下位のレイヤ）の処理を実行する（Ｈｉｇｈｅｒ  Ｌａｙｅｒ  Ｓｐｌｉｔ）。この場合に、上記受渡の上記状況は、（Ｆ１インタフェースを介して）ＤＵ３００からＣＵ２００へ送信される情報である。一例として、上記受渡の上記状況は、ＤＬ  ＤＡＴＡ  ＤＥＬＩＶＥＲＹ  ＳＴＡＴＵＳフレームで示される。
【０１４２】
あるいは、ＣＵ２００が、ＰＤＣＰレイヤ、ＲＬＣレイヤ、ＭＡＣレイヤ及びＰＨＹレイヤ（上位部分）の処理を実行し、ＤＵ３００が、ＰＨＹレイヤ（下位部分）の処理を実行してもよい（Ｌｏｗｅｒ  Ｌａｙｅｒ  Ｓｐｌｉｔ）。この場合に、上記受渡の上記状況は、ＣＵ２００が自ら生成する情報であってもよい。
【０１４３】
これにより、例えば、ＰＤＣＰレイヤでのデータ量のカウント、又はＰＤＣＰレイヤとＲＬＣレイヤとの間でのデータ量のカウントの場合であっても、端末装置５００がダウンリンクデータを実際に受信したか否かに基づくデータ量のカウントが可能になる。
【０１４４】
（３）第２の基地局によるデータ量情報の送信
第２の基地局４００（第１通信処理部４４１）は、上記データ量情報を含む上記メッセージを第１の基地局１００（ＣＵ２００）から受信する。
【０１４５】
例えば、第２の基地局４００（第２通信処理部４４３）は、さらに、上記データ量情報が用いられたメッセージをコアネットワーク１０へ送信する。
【０１４６】
例えば、コアネットワーク１０へ送信される上記メッセージは、上記データ量情報を含み、ベアラ（又はＱｏＳフロー）ごとのデータの量を示す情報を含む。あるいは、コアネットワーク１０へ送信される上記メッセージは、上記データ量情報に基づいて（第２の基地局４００により）生成された別のデータ量情報（例えば集約（aggregate）されたデータ量情報）を含んでもよい。
【０１４７】
例えば、上記デュアルコネクティビティは、ＥＮ−ＤＣであり、第２の基地局４００とコアネットワーク１０との間のインタフェース４０は、Ｓ１インタフェースであり、上記メッセージは、Ｓ１メッセージである。より具体的には、例えば、上記メッセージは、ＳＥＣＯＮＤＡＲＹ  ＲＡＴ  ＲＥＰＯＲＴメッセージであり、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。
【０１４８】
（４）処理の流れ
図１４は、第２の実施形態に係る処理の概略的な流れの例を説明するためのシーケンス図である。
【０１４９】
ＳＮである第１の基地局１００（ＣＵ２００）は、第１の基地局１００（ＳＮ）と端末装置５００との間で伝達されるデータの量を、ＰＤＣＰレイヤとＲＬＣレイヤとの間でカウントする（Ｓ６２１）。当該データは、ＳＮ  Ｔｅｒｍｉｎａｔｅｄ  ｂｅａｒｅｒを通じて第１の基地局１００（ＳＮ）と端末装置５００との間で伝達される第１のデータと、ＭＮ  Ｔｅｒｍｉｎａｔｅｄ  ｂｅａｒｅｒを通じて第１の基地局１００（ＳＮ）と端末装置５００との間で伝達される第２のデータとを含む。
【０１５０】
第１の基地局１００（ＣＵ２００）は、カウントされた上記データの上記量を示すデータ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６２３）。
【０１５１】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１５２】
＜＜６．変形例＞＞
図１５〜図１８を参照して、本実施形態の変形例を説明する。
【０１５３】
（１）中央ユニット
とりわけ本実施形態の変形例では、中央ユニット（ＣＵ）２００は、制御プレーンのための第１の中央ユニットと、ユーザプレーンのための第２の中央ユニットとを含む。
【０１５４】
図１５は、本実施形態の変形例に係る第１の基地局１００の分割（Ｓｐｌｉｔ）の例を説明するための説明図である。図１５を参照すると、第１の基地局１００は、中央ユニット（ＣＵ）２００及び分散ユニット（ＤＵ）３００を含む。さらに、本実施形態の変形例では、ＣＵ２００は、制御プレーンのための第１の中央ユニットであるＣＵ−ＣＰ２０１と、ユーザプレーンのための第２の中央ユニットであるＣＵ−ＵＰとを含む。１つのＣＵ−ＣＰ２０１に対して、複数のＣＵ−ＵＰ２０３が存在してもよい。各ＤＵ３００は、インタフェース６１を介してＣＵ−ＣＰ２０１と通信し、インタフェース６３を介してＣＵ−ＵＰ２０３と通信する。
【０１５５】
例えば、ＣＵ２００は、ＰＤＣＰレイヤの処理を実行し、ＤＵ３００は、ＲＬＣレイヤ及びＭＡＣレイヤの処理を実行する。即ち、第１の基地局１００は、Ｈｉｇｈｅｒ  Ｌａｙｅｒ  Ｓｐｌｉｔにより分割（Ｓｐｌｉｔ）される。
【０１５６】
図１６は、本実施形態の変形例に係る第１の基地局１００の分割（Ｈｉｇｈｅｒ  Ｌａｙｅｒ  Ｓｐｌｉｔ）の例を説明するための説明図である。図１６を参照すると、第１の基地局１００に含まれるＣＵ２００及びＤＵ３００が示されている。ＰＤＣＰレイヤは、ＣＵ２００に位置し、ＲＬＣレイヤ、ＭＡＣレイヤ及び物理（ＰＨＹ）レイヤは、ＤＵ３００に位置する。即ち、ＣＵ２００は、ＰＤＣＰレイヤの処理を実行し、ＤＵ３００は、ＲＬＣレイヤ、ＭＡＣレイヤ及びＰＨＹレイヤの処理を実行する。さらに、ＰＤＣＰレイヤのうちの制御プレーンは、ＣＵ−ＣＰ２０１に位置し、ＰＤＣＰレイヤのうちのユーザプレーンは、ＣＵ−ＵＰ２０３に位置する。この場合に、インタフェース６１は、Ｆ１−Ｃインタフェースであり、インタフェース６３は、Ｆ１−Ｕインタフェースである。
【０１５７】
あるいは、本実施形態の変形例において、ＣＵ２００は、ＰＤＣＰレイヤの処理、ＲＬＣレイヤ及びＭＡＣレイヤの処理を実行してもよい。即ち、第１の基地局１００は、Ｌｏｗｅｒ  Ｌａｙｅｒ  Ｓｐｌｉｔにより分割（Ｓｐｌｉｔ）されてもよい。
【０１５８】
図７を再び参照すると、例えば、ＣＵ２００のうちのカウント部２４５は、ＣＵ−ＵＰ２０３に含まれ、ＣＵ２００のうちの情報取得部２４７及び第２通信処理部２４３は、ＣＵ−ＣＰ２０１に含まれる。
【０１５９】
ＣＵ−ＵＰ２０３（カウント部２４５）は、第１の基地局１００（少なくともＮＲを用いるデュアルコネクティビティのＳＮ）と端末装置５００との間で伝達されるデータの量をカウントする。そして、ＣＵ−ＵＰ２０３（通信処理部）は、当該データの当該量を示すデータ量情報をＣＵ−ＣＰ２０１へ送信する。
【０１６０】
ＣＵ−ＣＰ２０１（情報取得部２４７）は、上記データ量情報を取得する。そして、ＣＵ−ＣＰ２０１（第２通信処理部２４３）は、上記データ量情報を第２の基地局４００（上記デュアルコネクティビティのＭＮ）へ送信する。
【０１６１】
（２）第１の実施形態の変形例
図１７は、第１の実施形態の変形例に係る処理の概略的な流れの例を説明するためのシーケンス図である。
【０１６２】
ＳＮである第１の基地局１００のＣＵ−ＵＰ２０３は、ＳＮ  Ｔｅｒｍｉｎａｔｅｄ  ｂｅａｒｅｒを通じて第１の基地局１００（ＳＮ）と端末装置５００との間で伝達される第１のデータの量をＰＤＣＰレイヤでカウントする（Ｓ６４１）。
【０１６３】
ＭＮである第２の基地局４００は、ＭＮ  Ｔｅｒｍｉｎａｔｅｄ  ｂｅａｒｅｒを通じて第１の基地局１００（ＳＮ）と端末装置５００との間で伝達される第２のデータの量をＰＤＣＰレイヤでカウントする（Ｓ６４３）。
【０１６４】
ＣＵ−ＵＰ２０３は、カウントされた上記第１のデータの上記量を示すデータ量情報を、第１の基地局１００ＣＵ−ＣＰ２０１へ送信する（Ｓ６４５）。
【０１６５】
ＣＵ−ＣＰ２０１は、上記データ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６４７）。
【０１６６】
なお、第２の基地局４００は、さらに、上記データ量情報（及び上記第２のデータの上記量を示す別のデータ量情報）を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１６７】
（３）第２の実施形態の変形例
図１８は、第２の実施形態の変形例に係る処理の概略的な流れの例を説明するためのシーケンス図である。
【０１６８】
ＳＮである第１の基地局１００のＣＵ−ＵＰ２０３は、第１の基地局１００（ＳＮ）と端末装置５００との間で伝達されるデータの量をＰＤＣＰレイヤとＲＬＣレイヤとの間でカウントする（Ｓ６６１）。当該データは、ＳＮ  Ｔｅｒｍｉｎａｔｅｄ  ｂｅａｒｅｒを通じて第１の基地局１００（ＳＮ）と端末装置５００との間で伝達される第１のデータと、ＭＮ  Ｔｅｒｍｉｎａｔｅｄ  ｂｅａｒｅｒを通じて第１の基地局１００（ＳＮ）と端末装置５００との間で伝達される第２のデータとを含む。
【０１６９】
ＣＵ−ＵＰ２０３は、カウントされた上記データの上記量を示すデータ量情報を、第１の基地局１００ＣＵ−ＣＰ２０１へ送信する（Ｓ６６３）。
【０１７０】
ＣＵ−ＣＰ２０１は、上記データ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６６５）。
【０１７１】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１７２】
＜＜７．第３の実施形態＞＞
図１９〜図２１を参照して、本発明の第３の実施形態を説明する。上述した第１の実施形態及び第２の実施形態は、具体的な実施形態であるが、第３の実施形態は、より一般化された実施形態である。
【０１７３】
＜７．１．第１の通信装置の構成＞
図１９は、第３の実施形態に係る第１の通信装置７００の概略的な構成の例を示すブロック図である。図１９を参照すると、第１の通信装置７００は、情報取得部７１０及び通信処理部７２０を備える。情報取得部７１０及び通信処理部７２０の具体的な動作は後に説明する。
【０１７４】
情報取得部７１０及び通信処理部７２０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０１７５】
第１の通信装置７００は、プログラム（命令）を記憶するメモリと、当該プログラム（命令）を実行可能な１つ以上のプロセッサとを含んでもよい。当該１つ以上のプロセッサは、上記プログラムを実行して、情報取得部７１０及び通信処理部７２０の動作を行ってもよい。上記プログラムは、情報取得部７１０及び通信処理部７２０の動作をプロセッサに実行させるためのプログラムであってもよい。
【０１７６】
なお、第１の通信装置７００は、仮想化されていてもよい。即ち、第１の通信装置７００は、仮想マシンとして実装されてもよい。この場合に、第１の通信装置７００（仮想マシン）は、プロセッサ及びメモリ等を含む物理マシン（ハードウェア）及びハイパーバイザ上で仮想マシンとして動作してもよい。
【０１７７】
＜７．２．第２の通信装置の構成＞
図２０は、第３の実施形態に係る第２の通信装置８００の概略的な構成の例を示すブロック図である。図２０を参照すると、第２の通信装置８００は、通信処理部８１０を備える。通信処理部８１０の具体的な動作は後に説明する。
【０１７８】
通信処理部８１０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０１７９】
第２の通信装置８００は、プログラム（命令）を記憶するメモリと、当該プログラム（命令）を実行可能な１つ以上のプロセッサとを含んでもよい。当該１つ以上のプロセッサは、上記プログラムを実行して、通信処理部８１０の動作を行ってもよい。上記プログラムは、通信処理部８１０の動作をプロセッサに実行させるためのプログラムであってもよい。
【０１８０】
なお、第２の通信装置８００は、仮想化されていてもよい。即ち、第２の通信装置８００は、仮想マシンとして実装されてもよい。この場合に、第２の通信装置８００（仮想マシン）は、プロセッサ及びメモリ等を含む物理マシン（ハードウェア）及びハイパーバイザ上で仮想マシンとして動作してもよい。
【０１８１】
＜７．３．端末装置の構成＞
図２１は、第３の実施形態に係る端末装置９００の概略的な構成の例を示すブロック図である。図２１を参照すると、端末装置９００は、第１通信処理部９１０及び第２通信処理部９２０を備える。第１通信処理部９１０及び第２通信処理部９２０の具体的な動作は後に説明する。
【０１８２】
第１通信処理部９１０及び第２通信処理部９２０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０１８３】
端末装置９００は、プログラム（命令）を記憶するメモリと、当該プログラム（命令）を実行可能な１つ以上のプロセッサとを含んでもよい。当該１つ以上のプロセッサは、上記プログラムを実行して、第１通信処理部９１０及び第２通信処理部９２０の動作を行ってもよい。上記プログラムは、第１通信処理部９１０及び第２通信処理部９２０の動作をプロセッサに実行させるためのプログラムであってもよい。
【０１８４】
＜７．４．技術的特徴＞
第３の実施形態に係る技術的特徴の例を説明する。
【０１８５】
第１の通信装置７００（情報取得部７１０）は、少なくともＮＲを用いるデュアルコネクティビティのセカンダリノードとして端末装置９００のために動作する第１の基地局と端末装置９００との間で伝達されるデータの量を示すデータ量情報を取得する。第１の通信装置７００（通信処理部７２０）は、端末装置９００のために上記デュアルコネクティビティのマスタノードとして動作する第２の基地局へ上記データ量情報を送信する。
【０１８６】
とりわけ、上記データの上記量は、ＰＤＣＰレイヤで、又は、ＰＤＣＰレイヤとＲＬＣレイヤとの間でカウントされるデータ量である。
【０１８７】
例えば、第１の通信装置７００は、上記第１の基地局、又は上記第１の基地局に含まれる中央ユニット（ＣＵ）である。一例として、第１の通信装置７００は、第１の実施形態若しくは第２の実施形態の第１の基地局１００又はＣＵ２００であり、情報取得部７１０及び通信処理部７２０は、情報取得部２４７及び第２通信処理部２４３である。
【０１８８】
第２の通信装置８００（通信処理部８１０）は、上記データ量情報を上記第１の基地局から受信する。
【０１８９】
例えば、第２の通信装置８００は、上記第２の基地局、又は上記第２の基地局に含まれるＣＵである。一例として、第２の通信装置８００は、第１の実施形態若しくは第２の実施形態の第２の基地局４００又は第２の基地局４００のＣＵであり、通信処理部８１０は、第２通信処理部４４３である。
【０１９０】
端末装置９００（第１通信処理部９１０）は、上記第１の基地局と通信する。また、端末装置９００（第２通信処理部９２０）は、上記第２の基地局と通信する。
【０１９１】
一例として、端末装置９００は、第１の実施形態若しくは第２の実施形態の端末装置５００であり、第１通信処理部９１０及び第２通信処理部９２０は、第１通信処理部５４１及び第２通信処理部５４３である。
【０１９２】
なお、第３の実施形態は上述した例に限定されない。
【０１９３】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１９４】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１９５】
また、本明細書において説明したノード（第１の基地局、ＣＵ、ＤＵ、第２の基地局又は端末装置）の構成要素（例えば、通信処理部、カウント部及び／又は情報取得部）を備える装置（ノードを構成する複数の部分装置のうちの１つ、又は、ノード若しくは部分装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような部分装置、モジュール、方法、プログラム、及びコンピュータに読み取り可能な非一時的記録媒体も本発明に含まれる。
【０１９６】
上記実施形態の一部又は全部は、以下の付記のようにも記載され得るが、以下には限られない。
【０１９７】
（付記１）
少なくともＮＲ（Ｎｅｗ  Ｒａｄｉｏ）を用いるデュアルコネクティビティのセカンダリノードとして端末装置のために動作する第１の基地局と前記端末装置との間で伝達されるデータの量を示すデータ量情報を取得する情報取得部と、
前記端末装置のために前記デュアルコネクティビティのマスタノードとして動作する第２の基地局へ前記データ量情報を送信する通信処理部と、
を備え、
前記データの前記量は、ＰＤＣＰ（Ｐａｃｋｅｔ  Ｄａｔａ  Ｃｏｎｖｅｒｇｅｎｃｅ  Ｐｒｏｔｏｃｏｌ）レイヤで、又は、ＰＤＣＰレイヤとＲＬＣ（Ｒａｄｉｏ  Ｌｉｎｋ  Ｃｏｎｔｒｏｌ）レイヤとの間でカウントされるデータ量である、
通信装置。
【０１９８】
（付記２）
前記データは、前記セカンダリノードで終端する無線ベアラを通じて前記第１の基地局と前記端末装置との間で伝達される第１のデータである、付記１に記載の通信装置。
【０１９９】
（付記３）
前記データは、前記デュアルコネクティビティのマスタノードで終端する無線ベアラを通じて前記第１の基地局と前記端末装置との間で伝達される第２のデータを含まない、付記２に記載の通信装置。
【０２００】
（付記４）
前記第１のデータの前記量は、前記セカンダリノードによりカウントされるデータ量であり、
前記第２のデータの前記量は、前記マスタノードによりカウントされるデータ量である、
付記３に記載の通信装置。
【０２０１】
（付記５）
前記データは、前記セカンダリノードで終端する無線ベアラを通じて前記第１の基地局と前記端末装置との間で伝達される第１のデータと、前記デュアルコネクティビティのマスタノードで終端する無線ベアラを通じて前記第１の基地局と前記端末装置との間で伝達される第２のデータとを含み、
前記データ量情報は、前記第１のデータの量を示す第１のデータ量情報と、前記第２のデータの量を示す第２のデータ量情報とを含む、
付記１に記載の通信装置。
【０２０２】
（付記６）
前記第２のデータの前記量は、ＰＤＣＰレイヤとＲＬＣレイヤとの間でカウントされるデータ量である、付記５に記載の通信装置。
【０２０３】
（付記７）
前記第１の基地局は、ＰＤＣＰレイヤの処理を実行する中央ユニットと、ＲＬＣレイヤの処理を実行する分散ユニットとを含み、
前記第２のデータは、前記中央ユニットを経由して、前記マスタノードとして動作する第２の基地局と前記分散ユニットの間で伝達され、
前記第２のデータの前記量は、前記中央ユニットにおいてカウントされるデータ量である、
付記５又は６に記載の通信装置。
【０２０４】
（付記８）
前記セカンダリノードで終端する前記無線ベアラは、ＳＮ  Ｔｅｒｍｉｎａｔｅｄ  ｂｅａｒｅｒであり、
前記第１のデータは、前記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
付記２〜７のいずれか１項に記載の通信装置。
【０２０５】
（付記９）
前記マスタノードで終端する前記無線ベアラは、ＭＮ  Ｔｅｒｍｉｎａｔｅｄ  ｂｅａｒｅｒであり、
前記第２のデータは、前記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、付記３〜７のいずれか１項に記載の通信装置。
【０２０６】
（付記１０）
前記データの前記量をカウントするカウント部をさらに備える、付記１〜９のいずれか１項に記載の通信装置。
【０２０７】
（付記１１）
前記データは、前記第１の基地局から前記端末装置へ送信されるダウンリンクデータと、前記端末装置から前記第１の基地局へ送信されるアップリンクデータとを含み、
前記カウント部は、前記端末装置への前記ダウンリンクデータの受渡の状況に基づいて、前記ダウンリンクデータの量をカウントする、
付記１０に記載の通信装置。
【０２０８】
（付記１２）
前記受渡の前記状況は、ＰＤＣＰレイヤよりも下位のレイヤにおいて確認される受渡状況である、付記１１に記載の通信装置。
【０２０９】
（付記１３）
前記第１の基地局は、ＰＤＣＰレイヤの処理を実行する中央ユニットと、ＲＬＣレイヤの処理を実行する分散ユニットとを含み、
前記受渡の前記状況は、前記分散ユニットから前記中央ユニットへ送信される情報である、
付記１１又は１２に記載の通信装置。
【０２１０】
（付記１４）
前記受渡の前記状況は、ＤＬ  ＤＡＴＡ  ＤＥＬＩＶＥＲＹ  ＳＴＡＴＵＳフレームで示される、付記１１〜１３のいずれか１項に記載の通信装置。
【０２１１】
（付記１５）
前記データ量情報は、Ｕｓａｇｅ  ｃｏｕｎｔ  ＵＬ及びＵｓａｇｅ  ｃｏｕｎｔ  ＤＬである、付記１〜１４のいずれか１項に記載の通信装置。
【０２１２】
（付記１６）
前記通信処理部は、前記データ量情報を含むＳｅｃｏｎｄａｒｙ  ＲＡＴ  Ｄａｔａ  Ｕｓａｇｅ  Ｒｅｐｏｒｔメッセージを前記第２の基地局へ送信する、付記１〜１５のいずれか１項に記載の通信装置。
【０２１３】
（付記１７）
前記通信装置は、前記第１の基地局である、付記１〜１６のいずれか１項に記載の通信装置。
【０２１４】
（付記１８）
前記第１の基地局は、前記ＰＤＣＰレイヤの処理を実行する中央ユニットと、分散ユニットとを含み、
前記通信装置は、前記中央ユニットである、
付記１〜１６のいずれか１項に記載の通信装置。
【０２１５】
（付記１９）
前記デュアルコネクティビティは、ＮＲ及びＬＴＥ（Long  Term  Evolution）を用いるデュアルコネクティビティである、付記１〜１８のいずれか１項に記載の通信装置。
【０２１６】
（付記２０）
前記デュアルコネクティビティは、ＥＮ−ＤＣ（Ｅ−ＵＴＲＡ−ＮＲ  Ｄｕａｌ  Ｃｏｎｎｅｃｔｉｖｉｔｙ）であり、
前記第１の基地局は、ｅｎ−ｇＮＢである、
付記１９に記載の通信装置。
【０２１７】
（付記２１）
少なくともＮＲを用いるデュアルコネクティビティのセカンダリノードとして端末装置のために動作する第１の基地局と前記端末装置との間で伝達されるデータの量を示すデータ量情報を、当該第１の基地局から受信する通信処理部、
を備え、
前記データの前記量は、ＰＤＣＰレイヤで、又は、ＰＤＣＰレイヤとＲＬＣレイヤとの間でカウントされるデータ量である、
通信装置。
【０２１８】
（付記２２）
前記データは、前記セカンダリノードで終端する無線ベアラを通じて前記第１の基地局と前記端末装置との間で伝達される第１のデータであり、
前記通信装置は、
前記デュアルコネクティビティのマスタノードで終端する無線ベアラを通じて前記第１の基地局と前記端末装置との間で伝達される第２のデータの量をカウントするカウント部、
をさらに備える、付記２１に記載の通信装置。
【０２１９】
（付記２３）
端末装置であって、
少なくともＮＲを用いるデュアルコネクティビティのセカンダリノードとして前記端末装置のために動作する第１の基地局と通信する第１通信処理部と、
前記端末装置のために前記デュアルコネクティビティのマスタノードとして動作する第２の基地局と通信する第２通信処理部と、
を備え、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
端末装置。
【０２２０】
（付記２４）
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
を含み、
前記データの前記量は、ＰＤＣＰレイヤで、又は、ＰＤＣＰレイヤとＲＬＣレイヤとの間でカウントされるデータ量である、
方法。
【０２２１】
（付記２５）
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
をプロセッサに実行させるプログラムであり、
前記データの前記量は、ＰＤＣＰレイヤで、又は、ＰＤＣＰレイヤとＲＬＣレイヤとの間でカウントされるデータ量である、
プログラム。
【０２２２】
（付記２６）
少なくともＮＲを用いるデュアルコネクティビティのセカンダリノードとして端末装置のために動作する第１の基地局と前記端末装置との間で伝達されるデータの量を示すデータ量情報を取得することと、
前記端末装置のために前記デュアルコネクティビティのマスタノードとして動作する第２の基地局へ前記データ量情報を送信することと、
をプロセッサに実行させるプログラムを記録したコンピュータに読み取り可能な非一時的記録媒体であり、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【０２２３】
（付記２７）
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
を含み、
前記データの前記量は、ＰＤＣＰレイヤで、又は、ＰＤＣＰレイヤとＲＬＣレイヤとの間でカウントされるデータ量である、
方法。
【０２２４】
（付記２８）
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
をプロセッサに実行させるプログラムであり、
前記データの前記量は、ＰＤＣＰレイヤで、又は、ＰＤＣＰレイヤとＲＬＣレイヤとの間でカウントされるデータ量である、
プログラム。
【０２２５】
（付記２９）
少なくともＮＲを用いるデュアルコネクティビティのセカンダリノードとして端末装置のために動作する第１の基地局と前記端末装置との間で伝達されるデータの量を示すデータ量情報を、当該第１の基地局から受信すること、
をプロセッサに実行させるプログラムを記録したコンピュータに読み取り可能な非一時的記録媒体であり、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【０２２６】
（付記３０）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
を含み、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
方法。
【０２２７】
（付記３１）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムであり、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
プログラム。
【０２２８】
（付記３２）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムを記録したコンピュータに読み取り可能な非一時的記録媒体であり、
前記第１の基地局は、前記第１の基地局と前記端末装置との間で伝達されるデータの量を示すデータ量情報を前記第２の基地局へ送信し、
前記データの前記量は、ＰＤＣＰレイヤで、又は、ＰＤＣＰレイヤとＲＬＣレイヤとの間でカウントされるデータ量である、
コンピュータに読み取り可能な非一時的記録媒体。
【０２２９】
この出願は、２０１８年２月１３日に出願された日本出願特願第２０１８−０２３３３２号を基礎とする優先権を主張し、その開示の全てをここに取り込む。
【産業上の利用可能性】
【０２３０】
移動体通信システムにて、デュアルコネクティビティにおいてセカンダリノード（ＳＮ）がマスタノード（ＭＮ）へデータ量を報告することができる。
【符号の説明】
【０２３１】
１        システム
１００    第１の基地局
２００    中央ユニット（ＣＵ）
２４１    第１通信処理部
２４３    第２通信処理部
２４５    カウント部
２４７    情報取得部
３００    分散ユニット（ＤＵ）
３４１    第１通信処理部
３４３    第２通信処理部
４００    第２の基地局
４４１    第１通信処理部
４４３    第２通信処理部
４４５    カウント部
５００    端末装置
５４１    第１通信処理部
５４３    第２通信処理部
【図１】
2019159662.tif 000003
【図２】
2019159662.tif 000004
【図３】
2019159662.tif 000005
【図４】
2019159662.tif 000006
【図５】
2019159662.tif 000007
【図６】
2019159662.tif 000008
【図７】
2019159662.tif 000009
【図８】
2019159662.tif 000010
【図９】
2019159662.tif 000011
【図１０】
2019159662.tif 000012
【図１１】
2019159662.tif 000013
【図１２】
2019159662.tif 000014
【図１３】
2019159662.tif 000015
【図１４】
2019159662.tif 000016
【図１５】
2019159662.tif 000017
【図１６】
2019159662.tif 000018
【図１７】
2019159662.tif 000019
【図１８】
2019159662.tif 000020
【図１９】
2019159662.tif 000021
【図２０】
2019159662.tif 000022
【図２１】
2019159662.tif 000023
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
デュアルコネクティビティのセカンダリノードである第１の基地局において、
前記第１の基地局は、ＰＤＣＰ（Ｐａｃｋｅｔ  Ｄａｔａ  Ｃｏｎｖｅｒｇｅｎｃｅ  Ｐｒｏｔｏｃｏｌ）レイヤをホストし、
前記第１の基地局と端末装置との間で、ＳＮ−ｔｅｒｍｉｎａｔｅｄ  ｂｅａｒｅｒを通じて伝達されるデータの量をカウントするカウント部と、
前記デュアルコネクティビティのマスタノードである第２の基地局へＳＥＣＯＮＤＡＲＹ  ＲＡＴ  ＤＡＴＡ  ＵＳＡＧＥ  ＲＥＰＯＲＴメッセージを送信する処理部と、を備え、
前記ＳＥＣＯＮＤＡＲＹ  ＲＡＴ  ＤＡＴＡ  ＵＳＡＧＥ  ＲＥＰＯＲＴメッセージは前記データの量を示す第１の情報要素を含む、第１の基地局。
【請求項２】
前記ＳＥＣＯＮＤＡＲＹ  ＲＡＴ  ＤＡＴＡ  ＵＳＡＧＥ  ＲＥＰＯＲＴメッセージは、ＭＮ−ｔｅｒｍｉｎａｔｅｄ  ｂｅａｒｅｒを通じて伝達されるデータの量を示す第２の情報要素を含まない、請求項１に記載の第１の基地局。
【請求項３】
前記ＭＮ−ｔｅｒｍｉｎａｔｅｄ  ｂｅａｒｅｒを通じて伝達されるデータの量は、前記第２の基地局によりカウントされるデータ量である、請求項２に記載の第１の基地局。
【請求項４】
前記ＳＮ−ｔｅｒｍｉｎａｔｅｄ  ｂｅａｒｅｒを通じて伝達されるデータは、前記ＳＮ  Ｔｅｒｍｉｎａｔｅｄ  ｂｅａｒｅｒのうちのＳｐｌｉｔ  ｂｅａｒｅｒまたはＳＣＧ  ｂｅａｒｅｒを通じて前記第１の基地局と前記端末装置との間で伝達されるデータである、請求項１〜３のいずれか１項に記載の第１の基地局。
【請求項５】
前記ＳＮ−ｔｅｒｍｉｎａｔｅｄ  ｂｅａｒｅｒを通じて伝達されるデータは、前記第１の基地局から前記端末装置へ送信されるダウンリンクデータと、前記端末装置から前記第１の基地局へ送信されるアップリンクデータとを含み、
前記カウント部は、前記端末装置への前記ダウンリンクデータの受渡の状況に基づいて、前記ダウンリンクデータの量をカウントする、請求項１〜４のいずれか１項に記載の第１の基地局。
【請求項６】
前記受渡の前記状況は、前記ＰＤＣＰレイヤよりも下位のレイヤにおいて確認される受渡状況である、請求項５に記載の第１の基地局。
【請求項７】
前記第１の基地局は、前記ＰＤＣＰレイヤの処理を実行する中央ユニットと、ＲＬＣレイヤの処理を実行する分散ユニットとを含み、
前記受渡の前記状況は、前記分散ユニットから前記中央ユニットへ送信される情報である、請求項５又は６に記載の第１の基地局。
【請求項８】
前記第１の情報要素及び前記第２の情報要素は、Ｕｓａｇｅ  ｃｏｕｎｔ  ＵＬ及びＵｓａｇｅ  ｃｏｕｎｔ  ＤＬである、請求項１〜７のいずれか１項に記載の第１の基地局。
【請求項９】
デュアルコネクティビティのセカンダリノードである第１の基地局と端末装置との間で、ＳＮ−ｔｅｒｍｉｎａｔｅｄ  ｂｅａｒｅｒを通じて伝達されるデータの量を示す第１の情報要素を含むＳＥＣＯＮＤＡＲＹ  ＲＡＴ  ＤＡＴＡ  ＵＳＡＧＥ  ＲＥＰＯＲＴメッセージを、前記第１の基地局から受信する通信処理部、を備え、
前記第１の基地局は、
ＰＤＣＰ（Ｐａｃｋｅｔ  Ｄａｔａ  Ｃｏｎｖｅｒｇｅｎｃｅ  Ｐｒｏｔｏｃｏｌ）レイヤをホストし、
前記第１の基地局と端末装置との間で、前記ＳＮ−ｔｅｒｍｉｎａｔｅｄ  ｂｅａｒｅｒを通じて伝達されるデータの量をカウントする、第２の基地局。
【請求項１０】
ＰＤＣＰ（Ｐａｃｋｅｔ  Ｄａｔａ  Ｃｏｎｖｅｒｇｅｎｃｅ  Ｐｒｏｔｏｃｏｌ）レイヤをホストすることと、
デュアルコネクティビティのセカンダリノードである第１の基地局と端末装置との間で、ＳＮ−ｔｅｒｍｉｎａｔｅｄ  ｂｅａｒｅｒを通じて伝達されるデータの量をカウントすることと、
前記端末装置のために前記デュアルコネクティビティのマスタノードである第２の基地局へＳＥＣＯＮＤＡＲＹ  ＲＡＴ  ＤＡＴＡ  ＵＳＡＧＥ  ＲＥＰＯＲＴメッセージを送信することと、を含み、
前記ＳＥＣＯＮＤＡＲＹ  ＲＡＴ  ＤＡＴＡ  ＵＳＡＧＥ  ＲＥＰＯＲＴメッセージは、前記データの量を示す第１の情報要素を含む、方法。
【手続補正３】
【補正対象書類名】明細書
【補正対象項目名】００５１
【補正方法】変更
【補正の内容】
【００５１】
図６は、本実施形態に係る第１の基地局１００の分割の第２の例を説明するための説明図である。図６を参照すると、第１の基地局１００に含まれるＣＵ２００及びＤＵ３００が示されている。図６に示されるように、ＰＤＣＰレイヤ、ＲＬＣレイヤ、ＭＡＣレイヤ、及び物理（ＰＨＹ）レイヤ（上位部分）は、ＣＵ２００に位置してもよく、ＰＨＹレイヤ（下位部分）は、ＤＵ３００に位置してもよい。即ち、ＣＵ２００は、ＰＤＣＰレイヤ、ＲＬＣレイヤ、ＭＡＣレイヤ及びＰＨＹレイヤ（上位部分）の処理を実行してもよく、ＤＵ３００は、ＰＨＹレイヤ（下位部分）の処理を実行してもよい。
【手続補正４】
【補正対象書類名】図面
【補正対象項目名】図６
【補正方法】変更
【補正の内容】
【図６】
2019159662.tif 000024
【国際調査報告】
2019159662.tif 000025
2019159662.tif 000026
2019159662.tif 000027
2019159662.tif 000028